(57)【要約】位置情報を取得し、取得した位置情報に対応する情報であって、地域と関連する者である地域関連者により投稿された情報である地域情報を表示する処理をコンピュータに実行させるプログラム。ユーザの端末装置から位置情報を取得し、取得した位置情報に対応する地域の地域関連者により投稿された地域情報を前記端末装置に出力する処理をコンピュータに実行させる情報処理方法。ユーザの端末装置から位置情報を取得する取得部と、該取得部が取得した位置情報に対応する地域の地域関連者により投稿された地域情報を前記端末装置に出力する出力部とを備えるサーバ装置。
2020175599.tif 000002
【特許請求の範囲】
【請求項１】
位置情報を取得し、
取得した位置情報に対応する情報であって、地域と関連する者である地域関連者により投稿された情報である地域情報を表示する
処理をコンピュータに実行させるプログラム。
【請求項２】
前記地域関連者は観光ガイドを含み、
前記地域情報は、前記観光ガイドの実施する案内の予約又は前記観光ガイドが関連するコンテンツを含み、
前記地域情報の選択を受け付ける
請求項１に記載のプログラム。
【請求項３】
前記コンテンツを選択可能に複数表示する第１画面を表示し、
該第１画面において、前記コンテンツの一つが選択された場合、前記コンテンツのガイドのタイプを選択可能に複数表示する第２画面を表示し、
該第２画面において、前記ガイドのタイプの選択を受け付ける
請求項２に記載のプログラム。
【請求項４】
前記コンテンツは動画であり、
該動画の再生時点が位置情報に基づいて決定される請求項２又は請求項３に記載のプログラム。
【請求項５】
前記コンテンツに基づく案内に関する料金の決済を受け付ける請求項２から請求項４のいずれか一つに記載のプログラム。
【請求項６】
前記地域情報に基づく案内に関する料金を、ＡＲ（Augmented Reality）を利用して表示し、
前記料金の決済を受け付ける
請求項１から請求項５のいずれか一つに記載のプログラム。
【請求項７】
基準地点と前記地域情報とに基づいて観光ルートを作成する請求項１から請求項６のいずれか一つに記載のプログラム。
【請求項８】
ユーザのスケジュール情報と、基準地点と、前記地域情報とに基づいて観光ルートを作成する請求項１から請求項７のいずれか一つに記載のプログラム。
【請求項９】
訪問すべき地点又は訪問すべきでない地点に係る情報を含み、観光ルートを制約するための制約情報と、基準地点と、前記地域情報とに基づいて観光ルートを作成する請求項１から請求項８のいずれか一つに記載のプログラム。
【請求項１０】
タクシーの相乗りを希望するユーザに係る情報と、基準地点と、前記地域情報とに基づいて観光ルートを作成する請求項１から請求項９のいずれか一つに記載のプログラム。
【請求項１１】
観光ガイドに係る情報と、基準地点と、前記地域情報とに基づいて観光ルートを作成する請求項１から請求項１０のいずれか一つに記載のプログラム。
【請求項１２】
前記地域関連者又は前記地域情報と、前記地域関連者又は前記地域情報に対するユーザの評価とを関連付けて表示する請求項１から請求項１１のいずれか一つに記載のプログラム。
【請求項１３】
前記地域関連者又は前記地域情報に対するユーザからの評価の入力を受け付ける請求項１２に記載のプログラム。
【請求項１４】
前記地域情報の選択を受け付け、
該選択を受け付けた後、選択された前記地域関連者の前記地域情報の表示中に継続的にユーザに関する位置情報を取得し、
取得した位置情報に対応させて投稿された地域情報を更に表示する
請求項１から請求項１３のいずれか一つに記載のプログラム。
【請求項１５】
前記地域情報に基づく案内の対象物の説明を、ＡＲを利用して表示し、
前記対象物の説明のユーザによる変更を受け付ける
請求項１から請求項１４のいずれか一つに記載のプログラム。
【請求項１６】
位置情報の変更を受け付け、
該変更を受け付けた場合、変更後の位置情報に対応する地域関連者により投稿された地域情報を表示する請求項１から請求項１５のいずれか一つに記載のプログラム。
【請求項１７】
ユーザを、該ユーザの位置情報の履歴に対応する地域の地元メンバーとして登録し、
登録された地元メンバーと、付与されたレベルとを関連付けて表示する
請求項１から請求項１６のいずれか一つに記載のプログラム。
【請求項１８】
取得した位置情報に対応する地域におけるユーザを表示する請求項１から請求項１７のいずれか一つに記載のプログラム。
【請求項１９】
複数のユーザの地域情報に関する要求を受け付け、
前記複数のユーザの要求に対応する地域情報を表示する
請求項１から請求項１７のいずれか一つに記載のプログラム。
【請求項２０】
ユーザの端末装置から位置情報を取得し、
取得した位置情報に対応する地域の地域関連者により投稿された地域情報を前記端末装置に出力する
処理をコンピュータに実行させる情報処理方法。
【請求項２１】
ユーザの端末装置から位置情報を取得する取得部と、
該取得部が取得した位置情報に対応する地域の地域関連者により投稿された地域情報を前記端末装置に出力する出力部と
を備えるサーバ装置。
【発明の詳細な説明】
【技術分野】
【０００１】
本開示は、プログラム、情報処理方法及びサーバ装置に関する。
本出願は、２０１９年２月２８日出願の日本出願第２０１９−０３６７９９号に基づく優先権を主張し、前記日本出願に記載された全ての記載内容を援用するものである。
【背景技術】
【０００２】
現在、端末装置とネットワークを介して通信し、端末装置のユーザに対して、旅行先の地域に係る地域情報を提供する種々の情報処理システムが提案されている（例えば、特許文献１参照）。
【先行技術文献】
【特許文献】
【０００３】
【特許文献１】特開２０１５−１６２１４２号公報
【発明の概要】
【発明が解決しようとする課題】
【０００４】
このように、種々の情報処理システムが提案されているが、より幅広い地域情報を提供することができる提供態様が望まれる。【０００５】
本開示は、斯かる事情に鑑みてなされたものであり、その目的とするところは、ユーザに幅広く地域情報を提供することができるプログラム、情報処理方法及びサーバ装置を提供することにある。
【課題を解決するための手段】
【０００６】
本開示の一実施形態に係るプログラムは、位置情報を取得し、取得した位置情報に対応する情報であって、地域と関連する者である地域関連者により投稿された情報である地域情報を表示する。【０００７】
本開示の一実施形態によれば、地域情報は地域関連者により投稿されたものであるので、位置情報に基づいて各地域関連者による種々の地域情報を幅広く表示することができる。従って、ユーザに幅広く地域情報を提供することができる。【０００８】
本開示の一実施形態に係るプログラムは、前記地域関連者は観光ガイドを含み、前記地域情報は、前記観光ガイドの実施する案内の予約又は前記観光ガイドが関連するコンテンツを含み、前記地域情報の選択を受け付ける。【０００９】
本開示の一実施形態によれば、観光ガイドは地域関連者として、自身が保有する地域情報を提供することができ、実際に地域情報に係る地域にいなくとも、旅行者の案内を行うことができる。【００１０】
本開示の一実施形態に係るプログラムは、前記コンテンツを選択可能に複数表示する第１画面を表示し、該第１画面において、前記コンテンツの一つが選択された場合、前記コンテンツのガイドのタイプを選択可能に複数表示する第２画面を表示し、該第２画面において、前記ガイドのタイプの選択を受け付ける。【００１１】
本開示の一実施形態によれば、ユーザは容易な手順で案内を受けることができる。【００１２】
本開示の一実施形態に係るプログラムは、前記コンテンツは動画であり、該動画の再生時点が位置情報に基づいて決定される。【００１３】
本開示の一実施形態によれば、ユーザの現在の位置に対応した態様で動画の再生を行うことができる。【００１４】
本開示の一実施形態に係るプログラムは、前記コンテンツに基づく案内に関する料金の決済を受け付ける。【００１５】
本開示の一実施形態によれば、地域情報の利用が有料である場合、案内において入館料等が必要である場合等に、これらの料金を地域情報の利用と併せて決済することができ、利便性が向上する。【００１６】
本開示の一実施形態に係るプログラムは、前記地域情報に基づく案内に関する料金を、ＡＲ（Augmented Reality）を利用して表示し、前記料金の決済を受け付ける。【００１７】
本開示の一実施形態によれば、地域情報の利用が有料である場合、案内中に入館料等が必要である場合等に、これらの料金を地域情報の利用と併せて決済することができ、利便性が向上する。【００１８】
本開示の一実施形態に係るプログラムは、基準地点と前記地域情報とに基づいて観光ルートを作成する。【００１９】
本開示の一実施形態によれば、ユーザの観光態様に合致する観光ルートを表示でき、利便性が向上する。【００２０】
本開示の一実施形態に係るプログラムは、ユーザのスケジュール情報と、基準地点と、前記地域情報とに基づいて観光ルートを作成する。【００２１】
本開示の一実施形態によれば、ユーザの観光態様に合致する観光ルートを自動作成して表示でき、利便性が向上する。【００２２】
本開示の一実施形態に係るプログラムは、訪問すべき地点又は訪問すべきでない地点に係る情報を含み、観光ルートを制約するための制約情報と、基準地点と、前記地域情報とに基づいて観光ルートを作成する。【００２３】
本開示の一実施形態によれば、制約情報を考慮してユーザの観光態様に合致する観光ルートを自動作成して表示でき、利便性が向上する。【００２４】
本開示の一実施形態に係るプログラムは、タクシーの相乗りを希望するユーザに係る情報と、基準地点と、前記地域情報とに基づいて観光ルートを作成する。【００２５】
本開示の一実施形態によれば、タクシーの相乗り料金を考慮してユーザの観光態様に合致する観光ルートを自動作成して表示でき、利便性が向上する。【００２６】
本開示の一実施形態に係るプログラムは、観光ガイドに係る情報と、基準地点と、前記地域情報とに基づいて観光ルートを作成する。【００２７】
本開示の一実施形態によれば、ユーザの観光態様に合致する観光ルートを自動作成し、自動作成した観光ルート及び観光ガイド情報を表示でき、利便性が向上する。【００２８】
本開示の一実施形態に係るプログラムは、前記地域関連者又は前記地域情報と、前記地域関連者又は前記地域情報に対するユーザの評価とを関連付けて表示する。【００２９】
本開示の一実施形態によれば、地域関連者又は地域情報の評価を、ユーザの地域情報の利用の際の指標とすることができる。【００３０】
本開示の一実施形態に係るプログラムは、前記地域関連者又は前記地域情報に対するユーザからの評価の入力を受け付ける。【００３１】
本開示の一実施形態によれば、地域関連者又は地域情報にユーザからの評価を付けることができる。【００３２】
本開示の一実施形態に係るプログラムは、前記地域情報の選択を受け付け、該選択を受け付けた後、選択された前記地域関連者の前記地域情報の表示中に継続的にユーザに関する位置情報を取得し、取得した位置情報に対応させて投稿された地域情報を更に表示する。【００３３】
本開示の一実施形態によれば、地域情報に基づく案内を受けている間に到達する位置に係る地域情報を更にユーザに提供することができる。【００３４】
本開示の一実施形態に係るプログラムは、前記地域情報に基づく案内の対象物の説明を、ＡＲを利用して表示し、前記対象物の説明のユーザによる変更を受け付ける。【００３５】
本開示の一実施形態によれば、地域情報に基づく案内の対象物の説明を、より利便性の高い情報を含むようにユーザが変更することができる。【００３６】
本開示の一実施形態に係るプログラムは、位置情報の変更を受け付け、該変更を受け付けた場合、変更後の位置情報に対応する地域関連者により投稿された地域情報を表示する。【００３７】
本開示の一実施形態によれば、地域情報を利用したユーザが移動した場合に、移動先の地域情報を提供することができる。【００３８】
本開示の一実施形態に係るプログラムは、ユーザを、該ユーザの位置情報の履歴に対応する地域の地元メンバーとして登録し、登録された地元メンバーと、付与されたレベルとを関連付けて表示する。【００３９】
本開示の一実施形態によれば、ユーザが、地域住民等の地域に詳しい他のユーザの情報を得ることができる。【００４０】
本開示の一実施形態に係るプログラムは、取得した位置情報に対応する地域におけるユーザを表示する。【００４１】
本開示の一実施形態によれば、位置情報と対応するユーザを表示することで、より幅広い情報交換を行うことが可能となる。【００４２】
本開示の一実施形態に係るプログラムは、複数のユーザの地域情報に関する要求を受け付け、前記複数のユーザの要求に対応する地域情報を表示する。【００４３】
本開示の一実施形態によれば、地域情報について同様の要求を有する複数のユーザに同一の地域情報を提供することができる。【００４４】
本開示の一実施形態に係る情報処理方法は、ユーザの端末装置から位置情報を取得し、取得した位置情報に対応する地域の地域関連者により投稿された地域情報を前記端末装置に出力する処理をコンピュータに実行させる。【００４５】
本開示の一実施形態によれば、地域情報は地域の地域関連者により投稿されたものであるので、位置情報に基づいて各地域関連者による種々の地域情報を幅広く表示することができる。従って、ユーザに幅広く地域情報を提供することができる。【００４６】
本開示の一実施形態に係るサーバ装置は、ユーザの端末装置から位置情報を取得する取得部と、該取得部が取得した位置情報に対応する地域の地域関連者により投稿された地域情報を前記端末装置に出力する出力部とを備える。【００４７】
本開示の一実施形態によれば、地域情報は地域関連者により投稿されたものであるので、位置情報に基づいて各地域関連者による種々の地域情報を幅広く提供することができる。従って、ユーザに幅広く地域情報を提供することができる。
【発明の効果】
【００４８】
本開示の一実施形態によれば、ユーザに幅広く地域情報を提供することができる。
【図面の簡単な説明】
【００４９】
【図１】情報処理システムの一例を示す模式図である。
【図２】サーバの構成例を示すブロック図である。
【図３】地域情報ＤＢのレコードレイアウトの一例を説明する説明図である。
【図４】ルート情報ＤＢのレコードレイアウトの一例を説明する説明図である。
【図５】動画情報ＤＢのレコードレイアウトの一例を説明する説明図である。
【図６】スポット情報ＤＢのレコードレイアウトの一例を説明する説明図である。
【図７】レベル情報ＤＢのレコードレイアウトの一例を説明する説明図である。
【図８】端末の構成例を示すブロック図である。
【図９】案内開始処理の手順を示すフローチャートである。
【図１０】開始画面の一例を示す説明図である。
【図１１】詳細入力画面の一例を示す説明図である。
【図１２】情報選択画面の一例を示す説明図である。
【図１３】情報選択画面の一例を示す説明図である。
【図１４】情報選択画面の一例を示す説明図である。
【図１５】情報選択画面の一例を示す説明図である。
【図１６】地域情報詳細画面の一例を示す説明図である。
【図１７】動画リスト表示画面の一例を示す説明図である。
【図１８】地域情報取得処理の手順を示すフローチャートである。
【図１９】報酬付与処理の手順を示すフローチャートである。
【図２０】ＡＲ変更画面の一例を示す説明図である。
【図２１】案内画面の一例を示す説明図である。
【図２２】案内処理の手順を示すフローチャートである。
【図２３】情報選択画面の一例を示す説明図である。
【図２４】情報選択画面の一例を示す説明図である。
【図２５】終了画面の一例を示す説明図である。
【図２６】評価意見受付処理の手順を示すフローチャートである。
【図２７】地元メンバー認定画面の一例を示す説明図である。
【図２８】実施形態２における地域情報取得処理の手順を示すフローチャートである。
【図２９】実施形態３における友達及び地元メンバー選択画面の一例を示す説明図である。
【図３０】友達選択画面の一例を示す説明図である。
【図３１】友達情報ＤＢのレコードレイアウトの一例を説明する説明図である。
【図３２】地元メンバー選択画面の一例を示す説明図である。
【図３３】メッセージ送信処理の手順を示すフローチャートである。
【図３４】メッセージ入力画面の一例を示す説明図である。
【図３５】実施形態４における端末及びサーバが行う動画再生処理の手順を示すフローチャートである。
【図３６】実施形態４における端末及びサーバが行う動画再生処理の手順を示すフローチャートである。
【図３７】実施形態５に係る観光ルート作成処理の手順を示すフローチャートである。
【図３８】実施形態６に係るタクシー相乗りを考慮した観光ルート作成処理の手順を示すフローチャートである。
【図３９】実施形態７に係る観光ガイドを考慮した観光ルート作成処理の手順を示すフローチャートである。
【図４０】実施形態８に係る友達リスト及び投稿情報の表示処理の手順を示すフローチャートである。
【図４１】対象物又は店舗に関連する情報を蓄積した商品等ＤＢのレコードレイアウトの一例を説明する説明図である。
【図４２】実施形態９に係るＡＲ又はＶＲを通じた商品販売処理の手順を示すフローチャートである。
【図４３】実施形態１０に係るコンテンツの模倣検出処理の手順を示すフローチャートである。
【発明を実施するための形態】
【００５０】
以下、本開示に係るプログラム、情報処理方法及びサーバ装置についてその実施形態を示す図面に基づいて詳述する。以下に記載する実施形態１−１０の一部を任意に組み合わせてもよい。
（実施形態１）
以下、本開示の実施形態を図面に基づいて説明する。図１は、情報処理システムの一例を示す模式図である。情報処理システムは、情報処理装置１、複数の端末装置２、２、２…を含む。各装置は、インターネット等のネットワークＮによって相互に通信接続されている。
【００５１】
情報処理装置１は、種々の情報処理を行うと共に、情報の送受信を行う情報処理装置であり、例えばサーバコンピュータ、パーソナルコンピュータ等である。本実施形態において情報処理装置１はサーバコンピュータであるものとし、以下ではサーバ１と読み替える。
【００５２】
サーバ１は、端末装置２、２、２…の所有者である各ユーザに対して、ネットワークＮを介してユーザ同士が交流するためのアプリケーションサービスを提供する。また、本実施形態においてサーバ１は、各端末装置２からユーザ等により投稿された地域情報を取得し、該地域情報を要求した旅行者などのユーザに提供する。ここで、地域情報とは、対応する地域に関する情報であり、対応する地域に関する動画、静止画、文字若しくは音声又はこれらの組み合わせによるコンテンツや、対応する地域に関する観光に関する情報を含む。また、地域情報は、観光ガイドが現地で実施する案内の予約の受付等これらのコンテンツの提供のために使用される情報を含む。更に、地域情報は、観光地、レストラン、イベント等に関するコンテンツを含む。
【００５３】
端末装置２は、種々の情報処理を行う情報処理端末であり、例えばスマートフォン、タブレット端末、パーソナルコンピュータ等である。本実施形態において端末装置２はスマートフォンであるものとし、以下では簡潔のため端末２と読み替える。
【００５４】
図２は、サーバ１の構成例を示すブロック図である。サーバ１は、制御部１１、記憶部１２、通信部１３、大容量記憶装置１４を含む。
制御部１１はＣＰＵ（Central Processing Unit）、ＭＰＵ（Micro-Processing Unit）等の演算処理装置を含み、記憶部１２に記憶されたプログラムＰ１を読み出して実行することにより、サーバ１に係る種々の情報処理、制御処理等を行う。記憶部１２はＲＡＭ（Random Access Memory）、ＲＯＭ（Read Only Memory）等のメモリ素子を含み、制御部１１が処理を実行するために必要なプログラムＰ１又はデータ等を記憶している。また、記憶部１２は、制御部１１が演算処理を実行するために必要なデータ等を一時的に記憶する。通信部１３は通信に関する処理を行うための処理回路等を含み、ネットワークＮを介して端末２等と情報の送受信を行う。
【００５５】
大容量記憶装置１４は、例えばハードディスク等を含む大容量の記憶装置である。大容量記憶装置１４は、地域情報ＤＢ１４１等を記憶している。地域情報ＤＢ１４１は、地域情報に関するデータが記憶されている。
【００５６】
図３は、地域情報ＤＢ１４１のレコードレイアウトの一例を説明する説明図である。地域情報は、図３に示すように、地域毎に、該地域を示す位置範囲が定められ、定められた地域に対応する地域情報が番号（図中「Ｎｏ．」の欄）ごとに対応して記憶されている。ここで、例えば、地域は都道府県、市町村等に対応し、位置範囲は、ＧＰＳ（Global Positioning System）により測定される位置座標等に基づいて定められる。
【００５７】
地域情報ＤＢ１４１においては、番号に対応して、地域情報の名称、ユーザの端末２において表示、再生される地域情報の内容、利用に係る料金、ユーザからの評価、歴史、自然、美術等の予め定められたジャンル、表示、再生における時間、投稿を行った地域関連者、地域関連者のランク等が記憶されている。ここで、地域関連者とは該当する地域の住人又は観光ガイド等該当地域に関連する者を指し、地域関連者のランクは、例えば、「プロ」「セミプロ」等であり、「プロ」とは例えば、観光のガイドにより報酬を受け取る観光ガイドを指す。「セミプロ」は後述の地元メンバーを指す。また、地域関連者には、無償の観光ガイドも含まれる。更に、地域関連者は、自然人に限られず、該当する地域に所在する企業や行政機関であってもよい。観光ガイドは、当該地域の案内をする者であればよく、案内することを職業としているかにかかわらない。
【００５８】
図４は、ルート情報ＤＢ１４２のレコードレイアウトの一例を説明する説明図である。ルート情報は、複数の観光スポットを含む観光ルートに係る情報である。ルート情報は、観光ガイドから投稿される観光情報であってもよく、また、予め設定されていてもよい。図４に示すように、所定の地点ごとに、日程及び時間帯に対応して観光ルートが設定されている。所定の地点とは、例えば、ＧＰＳ機能による宿泊施設等の位置座標の範囲である。日程としては例えば月が設定され、時間帯としては「朝」「昼」「夜」等が設定される。観光ルートの欄は観光ルートのタイトルが記憶されている。各観光ルートに対応して、後述のジャンル、複数の観光スポット、該観光スポットの位置情報が記憶されている。
【００５９】
図５は、動画情報ＤＢ１４３のレコードレイアウトの一例を説明する説明図である。動画情報ＤＢ１４３は、動画である地域情報の詳細を記憶している。図５に示すように、動画情報ＤＢにおいては、地域情報の番号に対応させて、地域情報の名称と、動画内で案内する観光スポット及びその位置情報と、観光スポットの案内の動画内での開始時間を記憶している。
【００６０】
図６は、スポット情報ＤＢ１４４のレコードレイアウトの一例を説明する説明図である。スポット情報ＤＢ１４４においては、予め設定された観光スポットに対応して、観光ガイドが投稿した地域情報を記憶しており、同一の観光スポットに対して、異なる季節、時間帯等に対応させた地域情報が記憶される。図６に示すように、観光スポットと、該観光スポットの位置情報とに対応して、投稿された地域情報の番号、内容、季節、時間帯、天気が記憶されている。ここで、内容は「静止画」「動画」等の種類であり、季節は春夏秋冬、時間帯は朝昼晩、天気は、晴れ又は曇り等を指す。
【００６１】
図７は、レベル情報ＤＢ１４５のレコードレイアウトの一例を説明する説明図である。レベル情報とは、後述の地元メンバーに設定されるレベルを指す。図７に示すように、レベルに対応して、検出場所、検出回数、当該レベルに登録されているユーザが記憶されている。ここで、検出回数及び検出場所は、端末２の後述の位置検出部に基づく位置情報の検出の回数及び場所を指す。
【００６２】
なお、本実施形態において記憶部１２及び大容量記憶装置１４は一体の記憶装置として構成されていてもよい。また、大容量記憶装置１４は複数の記憶装置により構成されていてもよい。また、大容量記憶装置１４はサーバ１に接続された外部記憶装置であってもよい。
【００６３】
また、本実施形態においてサーバ１は上記の構成に限られず、例えば操作入力を受け付ける入力部、サーバ１に係る情報を表示する表示部、可搬型記憶媒体に記憶された情報を読み取る読取部等を含んでもよい。なお、サーバ１は１台のコンピュータで構成してもよく、また、分散したコンピュータにより構成してもよい。
【００６４】
図８は、端末２の構成例を示すブロック図である。端末２は、制御部２１、記憶部２２、通信部２３、表示部２４、入力部２５、音声出力部２６、撮像部２７及び位置検出部２８を含む。
制御部２１はＣＰＵ、ＭＰＵ等の演算処理装置を含み、記憶部２２に記憶されたプログラムＰ２を読み出して実行することにより、端末２に係る種々の情報処理、制御処理等を行う。記憶部２２はＲＡＭ、ＲＯＭ等のメモリ素子を含み、制御部２１が処理を実行するために必要なプログラムＰ２又はデータ等を記憶している。また、記憶部２２は、制御部２１が演算処理を実行するために必要なデータ等を一時的に記憶する。プログラムＰ２は、例えば、サーバ１からダウンロードにより取得され、記憶部２２に格納される。
【００６５】
通信部２３は無線又は有線により通信を行う通信モジュールであり、ネットワークＮを介して情報の送受信を行う。表示部２４は液晶ディスプレイ又は有機ＥＬ（Electro Luminescence）ディスプレイ等の画面を有し、制御部２１から与えられた画像を表示する。入力部２５は表示部２４に設けられたタッチパネル又は押下式のボタン等であり、ユーザによる操作入力を受け付ける。音声出力部２６は、音声の出力を行うスピーカである。撮像部２７は、ＣＣＤ（Charge Coupled Device）カメラ、ＣＭＯＳ（Complementary Metal Oxide Semiconductor）カメラ等を含み、画像の撮像を行う。位置検出部２８は、例えばＧＰＳ等を利用して、端末２の位置を検出する。
【００６６】
なお、本実施形態において端末２は上記の構成に限られず、例えば音声の入力を行うマイク等の音声入力部、可搬型記憶媒体に記憶された情報を読み取る読取部等を含んでもよい。
【００６７】
図９は、案内開始処理の手順を示すフローチャートである。案内開始処理は、端末２において、プログラムＰ２が起動された場合に、制御部２１により実行される。以下、具体的に説明する
【００６８】
制御部２１は表示部２４に案内処理の開始画面を表示させる（Ｓ１）。図１０は、開始画面の一例を示す説明図である。図１０に示すように、開始画面においては、地図部３０、入力ボックス３１、目的入力部３２、項目選択部３３、通知部３４、ユーザ表示部３５が表示されている。地図部３０は、例えば、端末２が有するＧＰＳ機能を使用して自動的に現在地周辺の地図が表示される。入力ボックス３１には、端末２のユーザが入力部２５を用いて所望の地名を入力できる。例えば、入力ボックス３１内の検索マークをタッチする等により地図部３０に入力された地名周辺の地図が表示される。なお、地図部３０は、ピンチイン又はピンチアウト等の動作により拡大縮小可能な態様であって良い。
【００６９】
目的入力部３２は、例えば「イベント」「観光」「食事」等の目的別のボタンが表示され、各ボタンを選択することにより、各目的に特化した画面が表示される。項目選択部３３は、例えば「移動」「スポット」「友達」「お気に入り」等の項目のボタンが表示されており、各ボタンを選択することにより、各項目に特化した画面が表示される。なお、図１０においては、「スポット」の項目が選択されているとし、案内処理の開始画面は本項目に係る画面とする。通知部３４は、地図部３０に表示される地図に係る地域において、行政機関等が交通状況等の地域情報を発信した場合、プログラムＰ２の起動中にその旨をその都度ポップアップ表示して通知する。これにより、地域情報のユーザは、ポップアップ表示された他の地域情報を認識できる。ユーザ表示部３５には、ユーザの予め設定などされたプロフィール写真、又はアバター画像等ユーザを示す画像が表示される。
【００７０】
制御部２１は、目的入力部３２のいずれかのボタンが選択されたか否かを判定する。（Ｓ２）、制御部２１はボタンが選択されたと判定した場合（Ｓ２：ＹＥＳ）、各ボタンに対応する詳細入力画面を表示する（Ｓ３）。制御部２１はボタンが選択されていないと判定した場合（Ｓ２：ＮＯ）、処理をステップＳ２に戻す。図１１は、詳細入力画面の一例を示す説明図である。図１１は「観光」ボタンを押した場合の詳細入力画面を示し、詳細入力画面においては、地図部３０の下部には詳細入力部３６及び決定ボタン３７が表示される。詳細入力部３６には、例えば、宿名などの出発地点、日程及び時間帯が入力でき、決定ボタン（図中では「探す」と表示）を押すことにより、入力内容が決定される。出発地点を入力した場合、出発地点が基準地点となり、出発地点周辺の観光ルートを表示する。また、日程及び時間帯を入力した場合、これらを観光時間として、観光時間で観光することが可能な観光ルートを表示する。また、詳細入力部３６に入力する内容は、制御部２１がプログラムＰ２に従って、旅行会社との取り決めにおける旅程を含む電子メール等のデータから自動的に取得する態様であってもよい。図１１に示すように、詳細入力部３６及び地図部３０の間に操作案内を表示してもよい。
【００７１】
その後、制御部２１は、決定ボタン３７が押され、入力内容が決定したか否かを判定する（Ｓ４）。制御部２１は入力内容が決定されていないと判定した場合（Ｓ４：ＮＯ）、処理をステップＳ４に戻す。制御部２１は入力内容が決定されたと判定した場合（Ｓ４：ＹＥＳ）、後述の地域情報取得処理を行う（Ｓ５）。地域情報取得処理を行って端末装置２は通信部２３を介してサーバ１と通信して、地域情報を取得する。ここで、地域情報の取得は、地域情報ＤＢ１４１、ルート情報ＤＢ１４２、動画情報ＤＢ１４３、スポット情報ＤＢ１４４を参照して取得される。
【００７２】
その後、制御部２１は表示部２４に情報選択画面を表示する（Ｓ６）。図１２及び図１３は、情報選択画面の一例を示す説明図である。情報選択画面において、例えば、図１２に示す地図部３０に重なるルート表示線３８ａが表示され、図１３に示すルート表示線３８ｂが表示される。ルート表示線３８ａ及びルート表示線３８ｂは、詳細入力画面における日程及び時間帯等の観光時間と、出発地点等の基準地点と、地域情報とに基づいてプログラムＰ２に従って作成され、ユーザは、ルート表示線３８ａを介して地域情報を選択する。なお、ルート表示線はサーバ１側において作成されることとしてもよい。ルート表示線３８ａ，３８ｂは、所定のジャンルに沿って定められた観光ルートであり、観光ルートの名称が地図部３０の下部のタブ３９ａ〜３９ｄに表示されている。ルート表示線３８ａ，３８ｂは、端末２が取得したルート情報ＤＢ１４２に基づくルート情報において、観光スポットの位置情報に基づいて作成される。例えば、タブ３９ａ〜３９ｄをタッチ操作等することにより地域情報が選択され、後述の地域情報詳細画面に遷移する。なお、観光ルートは、複数の観光スポットにより構成されてもよいし、一つの観光スポットにより構成されてもよい。また、観光ルートの表示は、開始地点や各観光スポットを結ぶルート表示線が表示されておらず、開始地点や観光スポットのみが表示されることとしてもよい。
【００７３】
また、情報選択画面においてはジャンル表示部４０が表示されている。ジャンル表示部４０は、予め定められた所定のジャンル（図１２及び図１３においては「歴史」「自然」「美術」「文化」を表示）を表示し、例えば、各文字をタッチ等して選択することにより、ジャンルの選択を行うことができる。各ジャンルを選択することにより、対応するルート表示線及びタブが表示される。なお、ジャンルの入力は、ユーザがキーワードを入力する態様であってもよく、ルート表示線の表示はユーザの過去の利用履歴、位置情報の履歴に基づいて表示する態様であってもよい。
【００７４】
図１２に示すようにルート表示線３８ａと、タブ３９ａと、ジャンル「美術」が対応し、図１３に示すようにルート表示線３８ｂと、タブ３９ｂ、ジャンル「自然」とが対応している。情報選択画面においては選択されたジャンルが太字で表示されている。なお、タブ３９ｃ及び３９ｄには夫々「歴史」「文化」のジャンル、図示していないルート表示線が対応している。各ルート表示線及びタブは、例えば、表示部２４において選択される。
【００７５】
各ルート表示線に沿った道順においては、複数の観光スポットが含まれている。ここで、複数の観光スポットの内、ユーザからの評価の高い観光スポットに絞ったルートを表示できる態様であってもよい。観光スポットを絞った場合、異なるルートを示すルート表示線を表示する態様であってもよい。
【００７６】
また、情報選択画面は別の態様でも表示される。図１４は、情報選択画面の一例を示す説明図である。情報選択画面には、図１４に示すように、図１２及び１３と同様のジャンル表示部４０と、該ジャンル表示部４０の下部に表示された簡略表示部４１ａ〜４１ｄとを有していてもよい。なお、図１２及び１３に示す画面と、図１４に示す画面とは上下のスワイプ操作等により互いに遷移する画面であってもよい。また、図１２及び１３のルート表示線を作成、表示する態様でなく、図１４に示す情報選択画面において、観光ルートとは関係なく、例えばＡＲ（Augmented Reality）を利用した場合の画面に映った対象物に関する地域情報の内容が表示されることとしてもよい。
【００７７】
各簡略表示部４１ａ〜４１ｄには、紹介画像部４２と、タイトル表示部４３と、所要時間表示部４４と、地域情報の投稿者のユーザ表示部４５とが設けられている。投稿者が「プロ」「セミプロ」等のランクを有している場合は、ユーザ表示部４５の隣に表示される。各簡略表示部４１ａ〜４１ｄがタッチ操作等されることにより、地域情報が選択され、後述の地域情報詳細画面に遷移する。
【００７８】
また、情報選択画面は別の態様でも表示されてもよい。例えば、地域情報を直接的に表示するのではなく、地域情報の集合を表示することも地域情報を表示することに含まれる。地域情報の集合の表示の態様としては、例えば、地域情報をランキングとして表示してもよく、地域情報の表示には、地域情報をランキング形式で表示することも含まれる。図１５は、情報選択画面の一例を示す説明図である。情報選択画面は、図１５に示すように、図１２及び１３と同様のジャンル表示部４０と、ランキング表示部４１０とを有する。図１５においては、ランキング表示部４１０には１〜３位の地域情報が表示され、地域情報のタイトルがタイトル表示部４３０に表示されている。なお、ランキング表示部４１０には、各順位の地域情報を投稿した地域関連者に係る情報、地域情報の所要時間等が表示されていてもよい。また、情報選択画面には、更に下位の順位の地域情報を表示するための表示ボタン４１１が表示されている。ユーザは、表示ボタン４１１をタッチ等することにより、４位以下の地域情報を確認することができる。
【００７９】
なお、情報選択画面は、図１２〜１５に係る例の内、複数の態様がユーザのタッチ、スワイプなどの操作による選択により表示される態様であってもよく、また、ユーザの選択に関わらず、いずれか一つの態様のみが表示される構成であってもよい。また、情報選択画面は図１２〜１５に示す態様でなく、その他の態様で表示されてもよい。
【００８０】
その後、制御部２１は、地域情報が選択されたか否かを判定する（Ｓ７）。制御部２１は、地域情報が選択されていないと判定した場合（Ｓ７：ＮＯ）、処理をステップＳ７に戻す。制御部２１は、地域情報が選択されたと判定した場合（Ｓ７：ＹＥＳ）、地域情報詳細画面を表示する（Ｓ８）。
【００８１】
図１６は、地域情報詳細画面の一例を示す説明図である。地域情報詳細画面においては、図１４と同様、紹介画像部４２が表示され、その下部に、タイトル表示部４３、ユーザ表示部４５、ランク表示部４５ａが表示される。更に、地域情報の評価を表示する評価表示部４６と、地域情報に係る観光スポットの場所、開館時間等の詳細情報表示部４７ａとガイドのタイプを選択するタイプ選択部４７ｂ、該地域情報の利用に係る料金、美術館、博物館などの施設に入館するための料金、該料金を購入するか否かの選択アイコン等を表示する料金表示部４７ｃと、内容の確定を行う確定ボタン４８とが設けられている。ここで、タイプ選択部４７ｂにおいて選択できる態様としては、観光ガイドによる案内（図中「人」のアイコン）、動画の再生による案内（図中「動画」のアイコン）、チャットによる案内（図中「チャット」のアイコン）、音声による案内（図中「音声」のアイコン）などがある。観光ガイドによる案内は、実際に現地で観光ガイドが実施する案内の予約を受け付けるアイコンである。タイプ選択部４７ｂにおいてガイドのタイプを選択することができ、確定ボタン４８がタッチ等されることにより、選択した地域情報の利用が確定し、料金の支払いの決済が行われる。
【００８２】
「動画」のアイコンをタッチ操作等により選択した場合に、動画の投稿を行った観光ガイドと、各観光ガイドが投稿した動画のリストとが表示されてもよい。図１７は動画リスト表示画面の一例を示す説明図である。図１７に示すように、動画リスト表示画面においては、動画を投稿した観光ガイドの名称（図中「Ａ」「Ｂ」「Ｃ」）を表示する名称表示部４７０と、各観光ガイドが投稿した動画のタイトルを表示するタイトル表示部４７１と、その動画の視聴に要する料金を表示する料金表示部４７２が含まれる。
【００８３】
動画の再生によるガイドを選択した場合、再生時の位置情報に紐づけられた再生時点から再生する態様であってもよい。この場合、端末２はサーバ１の動画情報ＤＢ１４３から取得した動画情報に基づいて動画の再生を行う。例えば、再生する動画が複数のスポットを巡る内容である場合に、位置情報に係る位置に最も近いスポットの部分から再生する態様であってもよい。また、再生する動画がスポット毎に存在する場合、位置情報に係る位置に最も近いスポットの動画が再生される態様であってもよい。動画情報においては図５に示すように、位置情報及び再生時点が紐づけられており、位置情報及び再生時点の紐づけは、例えば、地域関連者の投稿のための動画の撮影時に紐づけられる。
【００８４】
制御部２１は、地域情報詳細画面において、確定ボタン４８が押されるなどに操作により、地域情報の選択が確定したか否かを判定する（Ｓ９）。制御部２１は、地域情報が確定していないと判定した場合（Ｓ９：ＮＯ）、処理をステップＳ９に戻す。制御部２１は、地域情報が確定したと判定した場合（Ｓ９：ＹＥＳ）、決済情報を出力して、サーバに送信し（Ｓ１０）案内開始処理を終了する。案内開始処理が終了した場合には、地域情報に基づく案内が開始される。
【００８５】
図１８は、地域情報取得処理の手順を示すフローチャートである。制御部２１は、地域情報取得処理において、ユーザが端末２に入力した内容に基づく位置情報をサーバ１に送信する（Ｓ５１）。サーバ１は位置情報を受信し（Ｓ５２）、制御部１１は地域情報ＤＢ１４１、ルート情報ＤＢ１４２、動画情報ＤＢ１４３、スポット情報ＤＢ１４４を参照して、受信した位置情報に対応する地域情報を確認する（Ｓ５３）。制御部１１は、確認した地域情報を端末２に送信する（Ｓ５４）。端末２は地域情報を取得し（Ｓ５５）、地域情報取得処理を終了する。
【００８６】
サーバ１の制御部１１は、通信部１３にて端末２から送信された決済情報を受信した場合、報酬付与処理を行う。図１９は、報酬付与処理の手順を示すフローチャートである。制御部１１は、地域情報ＤＢ１４１を参照して決済情報に係る地域情報を投稿した地域関連者を確認する（Ｓ６１）。制御部１１は、決裁情報に基づく報酬を決定する（Ｓ６２）。報酬は例えば、地域情報の利用料金に対して予め定められた割合等を使用して決定される。その後制御部１１は、報酬に係る情報を、地域関連者が有する銀行口座に係る銀行のシステム等に出力する。これにより、地域関連者は自身の地域情報投稿により報酬を受け取ることができる。なお、入館料などの料金の精算が併せてなされている場合は、該入館料の受取者が有する銀行口座に係る銀行のシステム等に入館料等に係る情報を送信する。
【００８７】
制御部２１は、上記の案内開始処理が終了した場合に、地域情報に基づく案内を開始する。案内の開始により、例えば、地域情報に係る動画等が再生される。なお、案内はＡＲを利用して表示されてもよい。これにより、より良好に地域情報を提供することができる。この場合、端末２の画面にＡＲ変更アイコンを表示してもよい。図２０は、ＡＲ変更画面の一例を示す説明図である。図２０に示すように、例えば、地図部３０に重ねてＡＲ変更アイコン４９が表示される。ＡＲ変更アイコン４９をタッチすることにより、通常モードと、ＡＲモードとを切り替えることができる。
【００８８】
図２１は、案内画面の一例を示す説明図である。図２１に示す案内画面はＡＲを利用した案内画面を示す。図２１においては、案内の道中における目的の対象物５０の実物が端末２の撮像部２７を通して表示部２４に表示されている。対象物５０を囲む枠状部５１と、該枠状部５１の下部に位置し、種々の機能を有する機能アイコン部５２と、現在地点から対象物５０までの順路を示す矢印５３とがカメラを通して表示される画像に重ねて表示されている。対象物５０は、事前にサーバ１に登録されているスポット等である。
【００８９】
機能アイコン部５２は、地域情報選択アイコン５２ａ、説明表示アイコン５２ｂ、音声案内アイコン５２ｃ、料金アイコン５２ｄを含む。地域情報選択アイコン５２ａをタッチ操作等により選択した場合、以下の情報選択画面（図２３及び図２４参照）に遷移する。説明表示アイコン５２ｂを選択した場合、ＡＲ画面に対象物５０の説明が例えば、文章として表示される。本説明は、予め設定されたものでもよく、また、地域関連者により投稿されたものであってもよい。更に、地域関連者が逐次内容の追加、修正、削除できるような態様であってもよく、説明は、対象物の各パーツ等の一部の解説などであってもよい。ここで、対象物の説明の追加は、ユーザがＡＲ画面上で、自身が説明を希望する箇所をタッチして選択し、説明を入力することにより、行う態様であってよく、これにより、対象物のパーツと、説明とが紐づけられる。また、地域関連者が地域情報に基づく案内の対象物の説明を追加などすることにより、該説明をより利便性の高い情報を含む説明とすることができる。
【００９０】
案内画面においては、例えば、ユーザが、同一の対象物５０に係る場所において、昼、夜等異なる時間帯、晴れ、曇り等の異なる天気における画像、動画を投稿できる態様であってもよい。これらの画像はサーバ１のスポット情報１４４に係る情報に基づいて、表示される。また、ユーザがこれらの投稿された画像などを、例えばスワイプ操作等により、閲覧できる態様であってもよい。
【００９１】
音声案内アイコン５２ｃを選択した場合、対象物の説明が音声の再生により行われる。料金アイコン５２ｄを選択した場合、対象物に対して、例えば利用料、入館料等が設定されている場合にその料金案内、決済の受け付け等が行われる。
【００９２】
制御部２１は、動画の再生等により地域情報に基づく案内を行う一方で以下に説明する案内処理を行う。図２２は、案内処理の手順を示すフローチャートである。制御部２１は、端末２が備える位置検出部２８を利用して位置情報を取得する（Ｓ７１）。制御部２１は、取得した位置情報が所定の位置に到達したか否かを判定する（Ｓ７２）。これにより、ユーザが所定の位置に到達したか否かが判定される。制御部２１は、所定の位置に到達していないと判定した場合（Ｓ７２：ＮＯ）、処理をステップＳ７１に戻す。
【００９３】
制御部２１は、所定の位置に到達したと判定した場合（Ｓ７２：ＹＥＳ）、案内を中断する（Ｓ７３）。案内の中断とは、例えば、動画の再生の一時停止である。その後制御部２１は、所定の位置の位置情報に基づいて、上記の地域情報取得処理を行い（Ｓ７４）、取得した情報選択画面を表示する（Ｓ７５）。なお、このとき上記の地域情報選択アイコン５２ａのタッチ操作等による選択を待って地域情報取得処理を行ってもよい。
【００９４】
図２３及び図２４は情報選択画面の一例を示す説明図である。制御部２１は、取得した地域情報に基づいて、各地域情報を静止画などで簡略に表示する簡略表示部４１ｅ〜４１ｊと、前記所定の位置における対象物５０の名称等のタイトル５４が表示される。各簡略表示部においては、投稿した地域関連者のプロフィール写真等を表示するユーザ表示部４５と、該地域関連者がランクを有する場合の当該ランクとが表示される。
【００９５】
また、図２４における地域情報選択画面は、一の簡略表示部４１ｋを大きく表示し、例えば、左右にスワイプ操作することにより、他の簡略表示部を順次表示できる。図２３における地域情報選択画面と、図２４における地域情報選択画面とは、例えば、端末２のユーザが図示しないボタンにより選択、遷移できる態様であってもよい。
【００９６】
図２３及び図２４に示すような情報選択画面における簡略表示部をタッチ操作する等することで地域情報を選択し、例えば、上下スワイプなどの操作で選択をキャンセルすることができるとする。
【００９７】
その後、制御部２１は、地域情報が選択されたか否かを判定する（Ｓ７６）。制御部２１は、地域情報を選択しなかったと判定した場合（Ｓ７６：ＮＯ）、中断した案内を再開する（Ｓ７７）。地域情報を選択したと判定した場合（Ｓ７６：ＹＥＳ）、選択に係る地域情報に基づいて案内を開始する（Ｓ７８）。制御部２１は、新たに開始された案内が終了したか否かを判定する（Ｓ７９）。ここで、案内の終了とは、地域情報による案内プログラムの終了、図示しない強制終了ボタンによる終了等がある。
【００９８】
制御部２１は案内が終了していないと判定した場合（Ｓ７９：ＮＯ）、処理をステップＳ７９に戻す。制御部２１は案内が終了したと判定した場合（Ｓ７９：ＹＥＳ）、処理をステップＳ７７に進める。
【００９９】
制御部２１は、案内を再開した後、案内が終了したか否かを判定する（Ｓ８０）。ここで、案内の終了は、上記同様、案内プログラムの終了、強制終了ボタンなどによる終了である。
【０１００】
制御部２１は、案内が終了していないと判定した場合（Ｓ８０：ＮＯ）、処理をステップＳ７１に戻す。制御部２１は、案内が終了したと判定した場合（Ｓ８０：ＹＥＳ）、終了画面を表示して（Ｓ８１）、処理を終了する。ここで、終了画面においては、例えば地域関連者又は地域情報の評価、地域情報への意見等を受け付ける。これにより、地域関連者又は地域情報に対してユーザからの評価を付与することができる。
【０１０１】
図２５は、終了画面の一例を示す説明図である。図２５に示すように、終了画面においては、例えば、終了した旨の通知５５と、評価入力欄５６と、意見の記入欄５７と、送信ボタン５８とが表示されている。評価入力欄は例えば５個のゲージを表示し、タッチ操作等によりゲージを埋めることによる５段階評価を付与する態様である。送信ボタン５８をタッチすることにより、入力し評価と、意見とをサーバ１に送信することができる。
【０１０２】
端末２及びサーバ１は上記の終了画面等で送信ボタン５８が押された場合、評価意見受付処理を行う。図２６は、評価意見受付処理の手順を示すフローチャートである。端末２は、入力された評価意見に係る評価意見情報を送信する（Ｓ９１）。サーバ１は、端末２から送信された評価意見情報を受信し（Ｓ９２）、地域情報ＤＢ１４１において、地域情報に対応させて受信した評価意見情報を記憶させる（Ｓ９３）。サーバ１の制御部１１は、例えば、サーバ１に接続されたパーソナルコンピュータ等に出力する（Ｓ９４）。これにより、パーソナルコンピュータの画面等にサーバ１の管理者等に通知でき、サーバ１の管理者等は他の地域情報を模倣した地域情報が投稿された場合、不正な内容の地域情報が投稿された場合等に、これらの地域情報について削除等の対応を行うことができる。
【０１０３】
上記のランクにおいて、例えば「プロ」は予めサーバ１の管理者等が設定し、「セミプロ」は、地元メンバーとして認定されたユーザを指す。ここで、地元メンバーとは、例えば、端末２の位置検出部２８により、鉄道の駅、観光名所等の特定の検出場所において位置情報が検出された回数をサーバ１が取得し、取得した情報及びレベル情報ＤＢ１４５の内容に基づいて、自動的に決定される。なお、地元メンバーは、ＳＮＳ等で公開されている出身学校の場所等に基づいて決定してもよい。また、位置情報の検出回数等に基づいて地域への関連性に係るレベルの設定が行われる。レベルは例えば１０段階設定で、レベルの高さにより投稿する地域情報の表示の優先順位が変わる態様であってもよい。また、レベルは、位置情報の検出回数、謝礼、ＳＮＳ等のプロフィール、ユーザによる評価に応じて、上昇させることが可能な態様であってもよい。なお、応じてとは、例えば、1回の謝礼の金額に応じてレベルが上がる場合（1回の謝礼の金額が多い場合に大きくレベルが上がる等）、獲得した謝礼の金額の合計金額が多い場合に合計金額に応じてレベルが上がる場合、謝礼を獲得した回数が多い場合にレベルが上がる場合等のいずれの場合も含まれる。また、案内情報の内容に対する評価（ユーザーの評価、機械による自動評価を含む）に応じてレベルが上がることとしてもよい。
【０１０４】
図２７は、地元メンバー認定画面の一例を示す説明図である。地元メンバーに認定された場合、図２７に示すように、該当地域の地元メンバーに認定された旨及びユーザのレベルと、地元メンバーに認定された場合のメリット等を含む通知画面６０が表示される。
【０１０５】
以上の構成によれば、地域情報は地域関連者により投稿されたものであるので、位置情報に基づいて各地域関連者による種々の地域情報が幅広く表示することができる。従って、ユーザに幅広く地域情報を提供することができる。観光ガイドは地域関連者として、自身が保有する地域情報を提供することができ、実際に地域情報に係る地域にいなくとも、旅行者のガイドを行うことができる。地域関連者又は地域情報をユーザからの評価と共に表示するので、地域情報の評価を、ユーザの地域情報の利用の際の指標とすることができる。
【０１０６】
また、案内処理において位置情報を継続的に取得するので、地域情報に基づく案内を受けている間に到達する位置に係る地域情報を更にユーザに提供することができる。地域情報に基づく案内に関する料金を表示し、該料金の決済を受け付けるので、地域情報の利用が有料である場合、案内中に入館料等が必要である場合等に、これらの料金を地域情報の利用と併せて決済することができ、利便性が向上する。
【０１０７】
入力ボックス３１において地名等を入力することにより、位置情報の変更を受け付け、変更を受け付けた場合、変更後の位置情報に対応する地域関連者により投稿された地域情報を表示することとなる。従って、地域情報を利用したユーザが移動した場合に、移動先の地域情報を提供することができる。
【０１０８】
（実施形態２）
実施形態２においては、地域情報取得処理の手順が異なる。実施形態２における情報処理システムの構成について実施形態１と同様の構成については同一の符号を付して詳細な説明を省略する。
【０１０９】
図２８は実施形態２における地域情報取得処理の手順を示すフローチャートである。端末２の制御部２１は、実施形態１における詳細入力画面（図１０参照）において、入力された入力情報をサーバ１に送信する（Ｓ１５１）。ここで、詳細入力画面においては、ユーザの要求、例えば、「美術館を巡りたい」「美味しい食事をしたい」等の要求を入力できるものとする。ユーザの要求は、単にキーワードの形式で入力されるものであってもよい。従って、入力情報には、日程、時間帯、要求等の情報が含まれる。なお、入力情報は、制御部２１がプログラムＰ２に従って、旅行会社との取り決めにおける旅程を含む電子メール等のデータから自動的に取得する態様であってもよい。
【０１１０】
サーバ１は、端末２から送信された入力情報を受信し（Ｓ１５２）、受信した入力情報を記憶部１２に記憶させる（Ｓ１５３）。その後サーバ１の制御部１１は、記憶部１２に記憶されている入力情報を参照して、今回受信した入力情報と同一又は類似の入力情報が有るか否かを確認する（Ｓ１５４）。ここで、同一又は類似の入力情報とは、日程、要求等が同一又は類似である場合を指す。
【０１１１】
サーバ１の制御部１１は、地域情報ＤＢ１４１を参照して地域情報を確認し（Ｓ１５５）、地域情報を含む案内情報を送信する（Ｓ１５６）。ここで、制御部１１は、同一又は類似の入力情報があったことを確認した場合、確認した地域情報に加えて、同一又は類似の入力情報に係る日程、要求、入力情報の送信者の情報等を含む案内情報を送信する。なお、各ユーザが入力情報のサーバ１への記憶等の処理を行ってもよいか否か設定できる態様であってもよい。
【０１１２】
制御部１１は、同一又は類似の入力情報が確認できない場合、確認した地域情報を案内情報として送信する。その後、端末２の制御部２１は、サーバ１から送信された案内情報を受信し（Ｓ１５７）、処理を終了する。
【０１１３】
以上の構成によれば、地域情報について同様の要求を有する複数のユーザに同一の地域情報を提供することができる。また、案内情報を受信したユーザは、自分と同一又は類似の要求等を有する別のユーザと、同一の地域情報を共有して、旅行などで同行することなどができる。
【０１１４】
なお、案内情報は、ＡＩ（Artificial Intelligence）を利用して決定することとしてもよい。例えば、深層学習（ディープラーニング）を含むニューラルネットワークモデルを学習モデルとして使用し、該学習モデルに、図３３（下記参照）のメッセージ送信機能において、ユーザが、入力情報としてユーザの要求（例えば、「美術館に行きたい」の情報）のメッセージを送信した場合に、地元住民の他のユーザが、案内情報（例えば、「Ａ美術館がお勧めです」の情報）をメッセージとして送信したという情報を学習させることにより、入力情報に対応する案内情報を学習させることができる。この場合、学習モデルはサーバ１の記憶部１２に記憶され人工知能ソフトウェアのプログラムモジュールとして利用される。制御部１１はＣＰＵ、ＧＰＵ又は量子コンピュータが用いられ、制御部１１は記憶部１２に記憶された学習モデルに従い、推定処理を行う。なお、学習モデルは地域毎に用意され、制御部１１は取得した位置情報に対応する学習モデルを読み出して推定処理を行う。例えば入力層には形態素解析後、ユーザの要求に含まれる美術館、レストラン、寺院等の目的地、又は、食事、スポーツ、映画等の名詞が入力される。またユーザの要求に加えて、地域情報ＤＢ１４１がカバーするエリア内の位置情報（緯度・経度、市町村名等）を更に入力するようにしても良い。更にユーザの要求に加えてユーザの属性（性別、嗜好）を入力するようにしても良い。出力層には地域情報ＤＢ１４１に記憶された複数の候補地が設定される。例えば、出力層はソフトマックス関数で構成され、Ａ美術館の確率、Ｂレストランの確率、Ｃ寺院の確率・・・が最終的に出力される。地域情報ＤＢ１４１にはユーザの要求、位置情報及び属性に対して、地域の住人又は観光ガイドが提案した目的地が履歴として大量に記憶されており、これら複数のセットを教師データとして学習モデルが学習されている。制御部１１は、誤差逆伝播法等により、学習モデルの中間層のパラメータを学習する。なお、本実施形態では学習モデルをサーバ１に記憶する例を示したが、端末２側の記憶部２２に記憶し、推定するようにしても良い。また、該学習モデルに、案内情報（「Ａ美術館がお勧めです」の情報）を受信したユーザの使用履歴（ユーザが実際にＡ美術館に行ったか否かの情報）を再学習させることにより、ユーザの要求に対して適当な案内情報が推定できる。ここで、ユーザの使用履歴とは、ユーザの要求等の詳細入力画面における入力情報、利用した地域情報、又は推奨に対するユーザの評価等の情報が含まれる。制御部１１は、ユーザが推奨目的地に実際に訪問した場合、又は、推奨に対する評価が高かった場合、ユーザの要求、位置情報及び属性と、すでに提案した目的地とのセットを教師データに１つ又は複数に割増して加え再学習させる。また、本システムをユーザ間でメッセージの送受信を可能な構成とし、ユーザの使用履歴に前記メッセージの内容を含むこととしてもよい。ユーザの入力情報に対する案内情報や、ユーザの案内情報に対する使用履歴を学習した学習モデルを利用することにより、ユーザの要求に対して適当な案内情報が推定でき、制御部１１は推定した案内情報をユーザの端末２に送信する。
【０１１５】
なお、学習モデルは、再帰型ニューラルネットワーク（Recurrent Neural Network, RNN)であってもよい。ＲＮＮを用いる場合、学習モデルの入力層には、ユーザが既に訪問した過去の複数の目的地と、受け付けた要求とを時系列データとして入力する。例えば、Ａ美術館、Ｂ博物館、Ｃレストランと時系列で目的地が入力され、次に「文化施設に行きたい」の要求が入力された場合、過去の経緯を考慮して出力層からＡ美術館、Ｂ博物館とは相違し、かつ、関連性の強いＤ近代美術館が提案される。なお、要求データに加えて要求時の端末２の位置情報又は端末２のユーザの属性をも入力しても良い。また記憶部１２には、過去の複数の目的地と要求とを含む時系列データと、地域の住人又は観光ガイドが提案した目的地が履歴として大量に記憶されており、これら複数のセットを教師データとして学習モデルが学習される。制御部１１は、誤差逆伝播法等により、学習モデルの中間層のパラメータを学習する。また、学習モデルは、ニューラルネットワークモデルに限定されるものではなく、他の機械学習モデルでもよい。なお、以下に付記を記載する。
（付記１)位置情報を取得し、地域情報の提案に関する要求を入力した場合に、地域関連者による推奨地域情報を出力するよう地域毎に学習された複数の学習モデルのうち、取得した地域情報に対応する学習モデルを読み出し、取得した要求を前記学習モデルに入力し、推奨地域情報を出力する処理をコンピュータに実行させるプログラム。
（付記２)前記学習モデルは前記要求に加えて要求者の位置情報又は属性と、地域関連者による推奨地域情報とを含む教師データを用いて学習されており、取得した要求に加えて要求者の位置情報又は属性を前記学習モデルに入力し、推奨地域情報を出力する付記１に記載のプログラム。
（付記３)前記学習モデルは、要求者の過去の複数の訪問地及び前記要求を含む時系列データと、地域関連者による推奨地域情報とを含む教師データを用いて学習されており、取得した要求者の過去の複数の訪問地及び前記要求を含む時系列データを前記学習モデルに入力し、推奨地域情報を出力する付記１又は２に記載のプログラム。
【０１１６】
（実施形態３）
実施形態３においては、開始画面において「友達」の項目のボタンを選択した場合について説明する。実施形態３における情報処理システムの構成について実施形態１と同様の構成については同一の符号を付して詳細な説明を省略する。
【０１１７】
図２９は、実施形態３における友達及び地元メンバー選択画面の一例を示す説明図である。開始画面（図１０参照）の項目選択部３３において、「友達」の項目を選択した場合、例えば図２９に示す友達及び地元メンバー選択画面が表示される。図２９に示すように、友達及び地元メンバー選択画面においては、地図部３０、入力ボックス３１、項目選択部３３、ユーザ表示部３５が表示されている。また、友達及び地元メンバー選択画面には更に、友達及び地元メンバーのいずれかを選択する目的選択部３２０が表示されている。目的選択部は、「友達」、「地元」夫々を選択するボタンを含む。「友達」を選択した場合、「友達」の項目を選択した場合友達選択画面に遷移し、「地元」の項目を選択した場合地元メンバー選択画面に遷移する。
【０１１８】
図３０は、友達選択画面の一例を示す説明図である。図３１は、友達情報ＤＢのレコードレイアウトの一例を説明する説明図である。図３２は、地元メンバー選択画面の一例を示す説明図である。図３０及び図３２に示すように各画面において、友達、地元メンバーが列挙されている。友達、地元メンバーに関する情報としては、ユーザ表示部３５、名前表示部７０、メッセージボタン７１が共通で表示されている。また、地元メンバー選択画面のおいては、各地元メンバーのコメントを記載するコメント欄７２が表示されている。更にユーザがＳＮＳ（social networking service）の利用者である場合には、その旨（図中「ＳＮＳ」）が表示される。各メッセージボタン７１を選択することにより、対応する友達、地元メンバーにメッセージを送信することができる。また、図３２に示すように、地元メンバーについては、レベルが記載されている。
【０１１９】
実施形態３に係るサーバ１は、友達情報ＤＢを記憶している。図３１に示すように、友達情報ＤＢにおいては、ユーザに対応して、友達及びその友達の分類が記憶されている。ここで、友達の分類とは、例えば、本システムのユーザであるか、又はＳＮＳの利用者であるかを指す。図３０における友達の表示は、端末２のユーザからサーバ１に要求があった場合に、サーバ１が図３１における友達情報ＤＢを参照して必要な情報を端末２のユーザに送信し、該情報に基づいて端末２の制御部２１は表示部２４に表示させる。
【０１２０】
図３３は、メッセージ送信処理の手順を示すフローチャートである。制御部２１は、メッセージボタン７１が選択されたか否かを判定する（Ｓ２０１）。制御部２１は、メッセージボタン７１が選択されていないと判定した場合（Ｓ２０１：ＮＯ）、処理をステップＳ２０１に戻す。制御部２１は、メッセージボタンが選択されたと判定した場合（Ｓ２０１：ＹＥＳ）、表示部２４にメッセージ入力画面を表示する（Ｓ２０２）。
【０１２１】
図３４は、メッセージ入力画面の一例を示す説明図である。図２８に示すように、メッセージ入力画面においては、内容入力欄７３と、決定ボタン７４とが表示されている。決定ボタン７４を選択することにより、内容入力欄７３に入力されたメッセージが各友達又は各地元メンバーに送信される。端末２のユーザは、内容入力欄７３において、例えば入力部２５を利用することによりメッセージを入力する。また、メッセージに写真、動画等のデータを添付できることとしてもよい。
【０１２２】
その後、制御部２１は、決定ボタン７４が選択され、内容が決定されたか否か判定する（Ｓ２０３）。制御部２０３は、内容が決定されていないと判定した場合（Ｓ２０３：ＮＯ）、処理をステップＳ２０３に戻す。制御部２１は、内容が決定されたと判定した場合（Ｓ２０３：ＹＥＳ）、内容入力欄７３に入力されたメッセージをサーバ１に送信し（Ｓ２０４）、処理を終了する。なお、メッセージを受信したサーバ１は、メッセージを対応するユーザ等に送信する。
【０１２３】
以上の構成によれば、ユーザが、地域住民等の地域に詳しい他のユーザの情報を得ることができる。また、メッセージの送信を受け付けることにより、ユーザが地元メンバーと情報交換を行うことができる。また、ＳＮＳの利用者を表示することにより、より幅広い情報交換を行うことができる。
【０１２４】
なお、ユーザは、他のユーザから、情報を得た場合に、他のユーザに対し、情報を得たことに対する謝礼を付与できる機能を設けてもよい。謝礼としては、ポイント、電子マネー、仮想通貨等が挙げられるが、これらに限定されない。ユーザは、謝礼の種類（ポイントにするか電子マネーにするか）、内容（ポイントの場合、何ポイント付与するか）を任意に決めることができる。他のユーザは、ユーザから付与された謝礼を、利用することができる。
【０１２５】
（実施形態４）
実施形態４は、端末及びサーバ動画の再生に係る処理に関する。実施形態３における情報処理システムの構成について実施形態１と同様の構成については同一の符号を付して詳細な説明を省略する。
【０１２６】
実施形態４に係る端末２及びサーバ１は、実施形態１と同様の地域情報詳細画面（図１６参照）及び動画リスト画面（図１７参照）の表示において、以下の動画再生処理を行う。図３５及び図３６は、実施形態４における端末及びサーバが行う動画再生処理の手順を示すフローチャートである。
【０１２７】
端末２の制御部２１は、タイプ選択部４７ｂにおける動画ボタンについてタッチ操作等による決定を受け付けたか否かを判定する（Ｓ３０１）。制御部２１は、動画ボタンを受け付けていないと判定した場合（Ｓ３０１：ＮＯ）、処理をステップＳ３０１に戻す。制御部２１は、動画ボタンを受け付けたと判定した場合（Ｓ３０１：ＹＥＳ）、位置検出部２８により検出した位置情報を送信する（Ｓ３０２）。
【０１２８】
サーバ１は、端末２が送信した位置情報を受信し（Ｓ３０３）、大容量記憶装置１４に記憶されている各ＤＢから、該位置情報に係る地域情報を、端末２に提供する提供情報として読み出す（Ｓ３０４）。ここで、提供情報とは、各観光ガイド、料金、コンテンツを含む。サーバ１は読み出した提供情報を端末２に送信し（Ｓ３０５）、端末２は提供情報を受信する（Ｓ３０６）。
【０１２９】
端末２は、受信した提供情報に基づいて動画リスト画面を表示する（Ｓ３０７）。ここで、動画リスト画面において、複数の観光ガイドと、複数のコンテンツとが表示される。端末２は観光ガイドの選択がされたか否かを判定する（Ｓ３０８）。観光ガイドの選択は、例えば、動画リスト画面において、ユーザが名称表示部４７０にタッチ操作することにより行われ、タイトル表示部４７１又は料金表示部４７２をタッチ操作した場合は観光ガイドの選択がされなかったと判定する。
【０１３０】
端末２は、観光ガイドが選択されたと判定した場合（Ｓ３０８：ＹＥＳ）、選択された観光ガイドのプロフィール、評価、コンテンツ、まとめ料金を表示する（Ｓ３０９）。ここで、まとめ料金とは、動画リスト画面に表示されているコンテンツであって選択された観光ガイドに係る全てのコンテンツを利用する場合の合計料金を指す。その後、端末２は料金が決定されたか否かを判定する（Ｓ３１０）。また、端末２は、観光ガイドの選択がされなかったと判定した場合（Ｓ３０８：ＮＯ）、処理をステップＳ３１０に進める。
【０１３１】
その後、端末２は、料金が決定されたか否かを判定する（Ｓ３１０）。料金が決定されたか否かは、例えば、地域情報詳細画面において確定ボタン４８がタッチ操作等により選択されたか否かにより判定される。なお、動画リスト画面において確定ボタンが表示されてもよく、また、画面に表示されている料金をタッチ操作等して選択することにより、料金が決定される態様であってもよい。
【０１３２】
端末２は、料金が決定されていないと判定した場合（Ｓ３１０：ＮＯ）、処理をステップＳ３１０に戻す。端末２は、料金が決定されたと判定した場合（Ｓ３１０：ＹＥＳ）、決済の要求を例えば信号送信によりサーバ１に対して行う（Ｓ３１１）。決済の要求がされたサーバ１は、要求に係る信号を受信し、決済処理（Ｓ３１２）を行う。決済処理は、端末２のユーザにおける料金の支払い、また、ユーザが利用するコンテンツを投稿した観光ガイドへの報酬の支払に係る処理を含む。ユーザにおける料金の支払い、観光ガイドへの報酬の支払いは、例えば、ユーザ及び観光ガイドの銀行口座に対する引き落とし、振込等の処理により行われる。
【０１３３】
サーバ１は、決済処理を行った後、コンテンツ配信ブロック解除指示を端末２に送信する（Ｓ３１３）。端末２は、コンテンツ配信ブロック解除指示を受信し（Ｓ３１４）、コンテンツ配信ブロックを解除する（Ｓ３１５）。その後、端末２は、位置検出部２８から位置情報を取得し（Ｓ３１６）、位置情報に応じて動画のコンテンツの再生を開始して（Ｓ３１７）、処理を終了する。
【０１３４】
以上の構成によれば、端末２のユーザは、動画の選択及び料金の支払いを容易に行うことができる。また、決済処理により、ユーザの料金の精算を行い、また、動画を投稿した観光ガイドに対して、ユーザによる動画の利用に応じて報酬を自動的に支払うことができる。
【０１３５】
（実施形態５）
実施形態５は、スケジュール情報及び制約条件を考慮した観光ルートの生成処理が上記実施形態と異なるため、以下では主にかかる相違点を説明する。その他の構成及び作用効果は上記実施形態と同様であるため、対応する箇所には同様の符号を付して詳細な説明を省略する。
【０１３６】
図３７は、実施形態５に係る観光ルート作成処理の手順を示すフローチャートである。端末２の制御部２１は、入力部２５にて観光ルートの作成要求を受け付け、受け付けた観光ルート作成要求を通信部２３にてサーバ１へ送信する（Ｓ４１１）。例えば、ユーザは、端末２の入力部２５を操作し、観光の基準地点である出発地点、観光時間である月日及び時間を入力することができ、端末２は入力された基準地点と、観光時間等の情報を含む観光ルート作成要求をサーバ１へ送信する。なお、観光時間は必須の情報ではなく、制御部２１は基準地点のみを受け付け、受け付けた基準地点を含む観光ルート作成要求を通信部２３にてサーバ１へ送信するように構成してもよい。観光時間が必須の状態でない点は、実施形態１〜実施形態４についても同様である。また、終了地点を入力してもよく、終了地点は、出発地点と同じ地点であってもよいし、異なる地点であってよい。
【０１３７】
また、制御部２１は、入力部２５にて、訪問すべき地点又は訪問すべきでない地点に係る情報を含み、観光ルートを制約するための制約情報を受け付け、受け付けた制約情報をルート作成要求と共にサーバ１へ送信するように構成してもよい。訪問すべき地点は、ユーザが観光を所望する観光スポット、レストラン、宿泊地等である。訪問すべきでない地点は、ユーザが希望しない観光スポット、レストラン、経由地点等である。また、制約情報として、ジャンル等がある。
【０１３８】
サーバ１の制御部１１は、端末２から送信された観光ルート作成要求及び制約情報を通信部１３にて受信する（ステップＳ４１２）。制御部１１は、ネットワークＮに接続された外部サーバ（不図示）からユーザのスケジュール情報を取得する（ステップＳ４１３）。スケジュール情報は、ユーザの位置及び時間を対応付けた情報を含む。例えば、スケジュール情報は、電車、バス、飛行機、船舶等の交通手段の利用日時、出発地、到着地等の情報、滞在予定のホテルの名称、位置、時間等の情報、訪問予定の地点及び時間等の情報等を含む。なお、サーバ１の大容量記憶装置１４がユーザのスケジュール情報を記憶するように構成してもよい。
【０１３９】
そして、制御部１１は、受信した観光ルート作成要求に含まれる基準地点及び観光時間、制約情報、スケジュール情報に基づいて、観光ルートを作成する（ステップＳ４１４）。制御部１１は、例えば、評価関数が最小となる観光ルートを探索すればよい。評価関数は、例えば、ユーザの移動距離及び移動時間が長い程、大きくなり、経由する観光スポットの数及び評価が高い程、小さくなるような関数とすればよい。また、評価関数は、スケジュール情報の内容、制約情報が示す制約に反すると大きくなるようにすればよい。上記観光ルートの生成方法は一例であり、特に限定されるものではない。なお、サーバ１は複数の観光ルートを候補として作成してもよい。
【０１４０】
サーバ１は、作成した一又は複数の観光ルート情報を端末２へ送信する（ステップＳ４１５）。端末２はサーバ１から送信された観光ルート情報を受信し（ステップＳ４１６）、受信した観光ルートを表示部２４に表示する（ステップＳ４１７）。
【０１４１】
端末２の制御部２１は、入力部２５にて、観光ルートの選択、観光に必要なサービス、チケット等の全部又は一部に係る一括手配の操作を受け付け、選択された観光ルートに必要な各種サービスの一括手配をサーバ１に要求する（ステップＳ４１８）。例えば、端末２は、一括手配用の操作画像を表示部２４に表示し、ユーザは当該操作画像を操作することによって、一括手配を要求することができる。また、端末２は、図１３と同様の画面上に、移動手段を選択するアイコンを表示し、移動手段の選択を受け付ける際、一括手配の操作を受け付けるように構成してもよい。一括要求の対象としては、例えば、タクシーの手配、観光スポットのチケット、観光ガイドの手配、レストランの予約等が挙げられる。
サーバ１は、端末２から一括手配の要求を受けた場合、制御部１１は一括手配処理を実行する（ステップＳ４１９）。制御部１１は、一括手配処理によって、タクシーの手配、チケットの購入、観光ガイドの手配、レストランの予約を電子処理的に完結的に実行してもよいし、人的処理が一部介在してもよい。人的処理が介在する例としては、制御部１１がチケット等の決済処理を行い、決済が完了した各種チケット等の情報、担当のタクシードライバーの端末に送信することが考えられる。タクシードライバーは、ユーザがタクシーを利用する際に決済済みのチケット等を手渡しすることができる。
【０１４２】
次いで、サーバ１は、手配処理結果を端末へ送信し（ステップＳ４２０）、端末２は手配処理結果を受信し（ステップＳ４２１）、受信した一括手配の処理結果を表示部２４に表示し（ステップＳ４２２）、処理を終える。
【０１４３】
以上の構成によれば、サーバ１及び端末２は、観光の基準地点を受け付けて、観光ルートを自動的に作成し、ユーザに提示することができる。
【０１４４】
また、サーバ１及び端末２は、制約情報を加味して、観光ルートを自動的に作成し、ユーザに提示することができる。
【０１４５】
更に、サーバ１及び端末２は、ユーザのスケジュール情報を取得して観光ルートを自動的に作成し、ユーザに提示することができる。
【０１４６】
更にまた、サーバ１及び端末２は、観光に必要な各種手配を一括で処理することができる。
【０１４７】
（実施形態６）
実施形態６は、タクシーの相乗りを考慮した観光ルートの生成処理が上記実施形態５と異なるため、以下では主にかかる相違点を説明する。その他の構成及び作用効果は上記実施形態と同様であるため、対応する箇所には同様の符号を付して詳細な説明を省略する。
【０１４８】
実施形態６に係る情報処理システムにおいては、ネットワークＮに図示しないタクシー情報サーバが接続されている。サーバ１は、ネットワークＮを解してタクシー情報サーバにアクセスすることができる。
【０１４９】
サーバ１は、タクシーに乗車する地点を示す乗車地情報と、タクシーから降車する地点を示す降車地情報とを含み、タクシー料金を要求するための問い合わせ情報をタクシー情報サーバへ送信する。また、経由地が存在する場合、サーバ１は、乗車地情報、経由地点を示す経由地情報及び降車地情報を含む問い合わせ情報をタクシー情報サーバへ送信する。
【０１５０】
タクシー情報サーバは、サーバ１から送信された問い合わせ情報を受信する。タクシー情報サーバは、問い合わせ情報に含まれる乗車地情報、後者地情報に基づいて、タクシー料金を算出し、算出されたタクシー料金情報をサーバ１へ送信する。問い合わせ情報に経由地が含まれている場合、乗車地から降車地までのタクシー料金と、乗車地から経由地までのタクシー料金とを算出し、算出したタクシー料金を含む回答情報をサーバ１へ送信する。なお、経由地は複数でもよい。この場合、乗車地、複数の経由地、降車地間のタクシー料金を算出するとよい。また、タクシー情報サーバは、通常のタクシー料金と共に深夜タクシー料金をサーバ１へ送信してもよい。
【０１５１】
サーバ１は、タクシー情報から送信された回答情報を受信する。サーバ１は、受信した回答情報に含まれるタクシー料金に基づいて、観光ルートを巡るために必要なタクシー料金を算出することができる。また、サーバ１は、複数のユーザがタクシーに相乗りして観光ルートを巡る際に必要なタクシー料金を算出することができる。
相乗りする複数のユーザの乗車地と降車地とが同一である場合、サーバ１は、当該乗車地から降車地へ移動するタクシー料金をタクシー料金サーバに問い合わせして取得し、取得したタクシー料金をユーザ数で除算することによって、相乗りタクシー料金を算出することができる。なお、相乗りタクシー料金から所定の手数料を減算してもよい。
相乗りする複数のユーザの乗車地又は降車地が異なる場合、サーバ１は、各ユーザの異なる乗車地及び降車地を経由地として、タクシー料金サーバに問い合わせて取得したタクシー料金に基づいて、相乗りタクシー料金を算出すればよい。例えば、第１ユーザ及び第２ユーザの乗車地が同じで、降車地が異なる場合、サーバ１は、乗車地から経由地までのタクシー料金をユーザ数で乗算することによって、当該経由地を降車地とする第１ユーザの相乗り料金を算出する。また、サーバ１は、乗車地から降車地までのタクシー料金から当該相乗り料金を減算した料金を、第２ユーザのタクシー料金として算出すればよい。乗車地が異なり降車地が同一である場合も同様にして算出することができる。また、乗車地及び降車地とも異なり、第１ユーザの乗車地から降車地に至るルート上に、第２ユーザの乗車地及び降車地がある場合も、経由地を２つに設定することによって同様にして各ユーザの相乗り料金を算出することができる。
【０１５２】
サーバ１は、複数のユーザから観光ルートの問い合わせがあった場合、観光時間帯及び観光ルートが類似する複数のユーザを検索し、相乗り料金を算出し、各ユーザにタクシーで観光地を巡る場合のタクシー相乗り料金を提供することができる。
【０１５３】
図３８は、実施形態６に係るタクシー相乗りを考慮した観光ルート作成処理の手順を示すフローチャートである。端末２及びサーバ１は、実施形態５のＳ４１１〜４１４と同様の処理を実行し、観光ルートを作成する（ステップＳ５１１〜Ｓ５１４）。ステップＳ５１４の処理を終えたサーバ１は、複数のユーザの観光ルートに応じたタクシー料金の情報をタクシー料金サーバに問い合わせて取得し（ステップＳ５１５）、相乗り料金を算出する（ステップＳ５１６）。相乗り料金の算出方法は上記の通りである。サーバ１は、観光ルートが同一又は一部が重複し、かつ観光時間も同一時間帯の複数のユーザを特定し、各ユーザの乗車地及び降車地を特定し、上記の方法で相乗り料金を算出する。
【０１５４】
サーバ１は、タクシー相乗り料金を含む観光ルート情報を端末２へ送信する（ステップＳ５１７）。端末２は、タクシー相乗り料金及び観光ルート情報を受信し（ステップＳ５１８）。相乗り料金の情報を含む観光ルートを表示部２４に表示する（ステップＳ５１９）。
【０１５５】
次いで、端末２は、タクシーの相乗りを行うか否かを含め、入力部２５にて、一括手配を受け付けて、一括手配をサーバ１に要求する（ステップＳ５２０）。以下、実施形態５のＳ４１９〜Ｓ４２２と同様の一括手配に係る処理を実行し（ステップＳ５２１−５２４）、処理を終える。なお、サーバ１は、ステップＳ５２１の処理で、複数のユーザに相乗りの合意を確認する処理、相乗り地点等に関する情報を合意した各ユーザに送信する処理を実行する。
【０１５６】
以上の構成によれば、サーバ１及び端末２は、観光ルートと共にタクシーの相乗り料金を提示することができる。
【０１５７】
（実施形態７）
実施形態７は、観光ガイドのマッチングを考慮した観光ルートの生成処理が上記実施形態５−６と異なるため、以下では主にかかる相違点を説明する。その他の構成及び作用効果は上記実施形態と同様であるため、対応する箇所には同様の符号を付して詳細な説明を省略する。
【０１５８】
図３９は、実施形態７に係る観光ガイドを考慮した観光ルート作成処理の手順を示すフローチャートである。端末２及びサーバ１は、実施形態５のＳ４１１〜４１４と同様の処理を実行し、観光ルートを作成する（ステップＳ６１１〜Ｓ６１４）。ステップＳ６１４の処理を終えたサーバ１は、地域情報ＤＢ１４１から観光ルートに応じた観光ガイドに係る情報を取得する（ステップＳ６１５）。実施形態７に係る観光ガイドは、主に人によるガイドであり（動画の再生によるガイドであってもよい）、地域情報ＤＢ１４１は、ガイド可能な観光スポット、ガイド時間帯、対応可能人数、対応言語、ガイドレベル、カジュアルかフォーマルか等の種別等の情報を蓄積しているものとする。
【０１５９】
サーバ１は、観光ガイド情報を含む観光ルート情報を端末２へ送信する（ステップＳ６１６）。端末２は、観光ガイド情報及び観光ルート情報を受信し（ステップＳ６１７）。観光ガイドの情報を含む観光ルートを表示部２４に表示する（ステップＳ６１８）。
【０１６０】
次いで、端末２は、観光ガイドを利用するか否か、利用する観光ガイド名又はＩＤ等を含め、入力部２５にて、一括手配を受け付けて、一括手配をサーバ１に要求する（ステップＳ６１９）。以下、実施形態５のＳ４１９〜Ｓ４２２と同様の一括手配に係る処理を実行し（ステップＳ６２０−Ｓ６２３）、処理を終える。
【０１６１】
以上の構成によれば、サーバ１及び端末２は、観光ルートと共に観光ガイドの情報を提示することができる。
【０１６２】
（実施形態８）
実施形態８は、友達からの情報収集処理が上記実施形態と異なるため、以下では主にかかる相違点を説明する。その他の構成及び作用効果は上記実施形態と同様であるため、対応する箇所には同様の符号を付して詳細な説明を省略する。
【０１６３】
図４０は、実施形態８に係る友達リスト及び投稿情報の表示処理の手順を示すフローチャートである。端末２は、観光の基準地点である出発地点、及び過去に当該特定の観光地に行ったことがある友達リストの表示の要求を受け付けた場合、当該友達リストをサーバ１へ要求する（ステップＳ７１１）。この特定の観光地は、基準地点に関連する観光地ないし、当該観光地の範囲を示す位置を意味する。サーバ１は、要求に応じて、友達情報ＤＢから、過去に基準地点に関連する観光地を訪れたことがある友達の情報を抽出し、友達リストを作成する（ステップＳ７１２）。実施形態８に係る友達情報ＤＢは、友達を識別する友達ＩＤと、友達の名称と、位置情報と、訪問予定位置情報、投稿情報、通信先情報等の情報を対応付けて記憶したデータベースである。位置情報は、過去から現在にわたって友達が存在ないし訪問した位置を示す情報である。投稿情報は、例えば、特定の観光地の見所、美味しい飲食店、お勧めの観光スポット等の情報である。
【０１６４】
また、端末２は、観光の基準地点である出発地点、及び現在、当該特定の観光地にいる友達リストの表示の要求を受け付けた場合、当該友達リストをサーバ１へ要求する（ステップＳ７１３）。サーバ１は、要求に応じて、友達情報ＤＢから、現在、基準地点に関連する観光地にいる友達の情報を抽出し、友達リストを作成する（ステップＳ７１４）。
【０１６５】
更に、端末２は、観光の基準地点である出発地点、及び将来、当該特定の観光地に行く予定の友達リストの表示の要求を受け付けた場合、当該友達リストをサーバ１へ要求する（ステップＳ７１５）。サーバ１は、要求に応じて、友達情報ＤＢから、将来、基準地点に関連する観光地に行く予定の友達の情報を抽出し、友達リストを作成する（ステップＳ７１６）。
【０１６６】
サーバ１は、Ｓ７１２、Ｓ７１４、又はＳ７１６の処理で作成した友達リストを端末２へ送信する（ステップＳ７１７）。端末２は、サーバ１から送信された友達リストを受信し（ステップＳ７１８）、受信した友達リストを表示する（ステップＳ７１９）。
【０１６７】
端末２は、入力部２５にて友達の選択を受け付け、受け付けた友達を示す情報をサーバ１へ送信する（ステップＳ７２０）。サーバ１は、端末２から送信された情報を受信し、受信した情報が示す友達の投稿情報のなかから、特に、上記特定の観光地に関する投稿情報を抽出し（ステップＳ７２１）、抽出した投稿情報を端末２へ送信する（ステップＳ７２２）。
【０１６８】
端末２は、サーバから送信された投稿情報を受信し（ステップＳ７２３）、受信した投稿情報を表示部２４に表示する（ステップＳ７２４）。端末２のユーザは、特定の観光地に行ったことがある友達の投稿情報を閲覧することができる。
【０１６９】
また、ユーザは、投稿情報から得られない情報を友達に質問することもできる。具体的には、端末２は、入力部２５にてユーザから友達への質問を受け付け、受け付けた質問をサーバへ送信する（ステップＳ７２５）。サーバ１は、端末２から送信された質問を受信し（ステップＳ７２６）、受信した質問に対する回答を一又は複数の友達から取得する（ステップＳ７２７）。サーバ１は、当該特定の観光地に行ったことがある友達の送信先へ、質問と回答を要求するための情報を送信することによって、回答を取得する。なお、ユーザは、質問を送信する友達を具体的に指定することもできる。
【０１７０】
回答を取得したサーバ１は、取得した回答を、質問の送信元の端末２へ送信する（ステップＳ７２８）。端末２は、サーバ１から送信された回答を受信し（ステップＳ７２９）、受信した回答を表示し（ステップＳ７３０）、処理を終える。
【０１７１】
以上の構成によれば、サーバ１及び端末２は、特定の観光地に行ったことある友達リスト、現在特定の観光地にいる友達リスト、将来、特定の観光地に行く予定の友達リストをユーザに提供することができる。
【０１７２】
また、サーバ１及び端末２は、特定の観光地に関する友達の投稿情報を抽出し、ユーザに提供することができる。
【０１７３】
更に、ユーザは、観光地に関する質問を友達に送信することができ、サーバ１及び端末２は、質問に対する回答を友達から取得して提供することができる。
【０１７４】
（実施形態９）
実施形態９は、ＡＲ又はＶＲを介した商品購入処理が上記実施形態と異なるため、以下では主にかかる相違点を説明する。その他の構成及び作用効果は上記実施形態と同様であるため、対応する箇所には同様の符号を付して詳細な説明を省略する。
【０１７５】
図４１は、対象物又は店舗に関連する情報を蓄積した商品等ＤＢのレコードレイアウトの一例を説明する説明図である。商品等ＤＢは、観光スポットに関する対象物、商品を販売している店舗の画像から得られる特徴量と、当該対象物の位置情報と、当該観光スポットの名称、当該対象物に関する商品情報、イベント情報、画像、動画を対応付けて記憶している。データベースの構造は特に限定されない。
【０１７６】
図４２は、実施形態９に係るＡＲ又はＶＲを通じた商品販売処理の手順を示すフローチャートである。端末２は、撮像部２７にて撮像して得た撮像画像と、位置検出部２８にて検出された位置情報とをサーバ１へ送信する（ステップＳ８１１）。サーバ１は、端末２から送信された撮像画像及び位置情報を受信し（ステップＳ８１２）、撮像画像に含まれる対象物又は店舗を認識する（ステップＳ８１３）。例えば、サーバ１は、撮像画像に含まれるオブジェクトを抽出し、抽出されたオブジェクトの特徴量を算出する。そして、サーバ１は、算出された特徴量を用いて、商品等ＤＢを参照し、対象物又は店舗を認識する。また、サーバ１は、端末２から取得した位置情報と、商品等ＤＢから得られた位置情報とが一致しているか否かを確認する（ステップＳ８１４）。つまり、実際の対象物又は店舗が存在する地点にユーザがおり、当該対象物又は店舗を撮像しているか否かを確認する。なお、位置情報の確認は必須ではない。逆に、ユーザが対象物の位置に存在しないと、コンテンツ等を表示しないようにすることもできる。
【０１７７】
そして、サーバ１は、特定された対象物に関連するコンテンツを地域情報ＤＢ１４１から抽出する（ステップＳ８１５）。また、サーバ１は、特定された対象物に関連するイベント情報を商品等ＤＢから抽出する（ステップＳ８１６）。なお、イベント情報は、地域情報ＤＢ１４１から抽出できるように構成してもよい。更に、サーバ１は、特定された対象物に関連する画像及び動画を商品等ＤＢから抽出する（ステップＳ８１７）。更に、サーバ１は、特定された対象物又は店舗に関連する商品情報を商品等ＤＢから抽出する（ステップＳ８１８）。
【０１７８】
そして、サーバ１は、抽出された、コンテンツ、イベント情報、関連画像、関連動画、商品情報等を端末２へ送信する（ステップＳ８１９）。端末２はサーバ１から送信されたコンテンツ等を受信し（ステップＳ８２０）、受信したコンテンツ等をＡＲ（Augmented Reality）又はＶＲ（Virtual Reality）を利用して表示する（ステップＳ８２１）。コンテンツ等の表示方法は特に限定されない。対象物に関連する動画又は画像が多数存在する場合、評価が高い動画又は画像を選択的に表示するとよい。
【０１７９】
端末２は、商品情報を表示している場合、入力部２５にて商品の購入を受け付けることができる（ステップＳ８２２）。商品の購入操作は、ジェスチャー操作であってもよいし、音声操作などであってもよい。商品の購入を受け付けた場合、端末２は、商品の購入処理を実行し（ステップＳ８２３）、処理を終える。
【０１８０】
以上の構成によれば、サーバ１及び端末２は、ＡＲ又はＶＲを利用して、観光スポットの対象物に関するコンテンツ、イベント情報、関連画像、動画、商品情報を表示することができる。
【０１８１】
また、サーバ１及び端末２は、ＡＲ又はＶＲにて表示された商品の購入処理を実行することができる。
【０１８２】
なお、上記実施形態では、撮像画像をリアルタイムでサーバ１へ送信し、ＡＲ又はＶＲを介して対象物に関連する商品を購入できる構成を説明したが、これに限定されるものではない。例えば、撮像して得た位置情報を含む動画又は静止画像を、観光後にサーバ１へ送信する構成であってもよい。サーバ１は、送信された動画又は静止画像に基づいて、Ｓ８１３〜Ｓ８２０の処理を実行し、動作又は静止画に含まれる対象物に関する商品情報を端末２へ提供する。ユーザは、端末２を操作して、対象物の商品を購入することができる。
【０１８３】
また、撮像画像をリアルタイムでサーバ１へ送信し、ＡＲ又はＶＲを介して対象物に関連する商品を購入する構成において、サーバ１は、観光ルートの途中でユーザが商品を受け取れるように商品の発送を手配する処理を実行してもよい。例えば、タクシードライバー、相乗り予定のユーザが商品を、購入者に渡せるように商品情報を、タクシードライバー又はユーザに送信するように構成するとよい。
【０１８４】
（実施形態１０）
実施形態１０は、コンテンツの模倣防止処理が上記実施形態と異なるため、以下では主にかかる相違点を説明する。その他の構成及び作用効果は上記実施形態と同様であるため、対応する箇所には同様の符号を付して詳細な説明を省略する。
【０１８５】
図４３は、実施形態１０に係るコンテンツの模倣検出処理の手順を示すフローチャートである。
端末２は、ユーザの操作に従って観光地に係るコンテンツを送信する（ステップＳ９１１）。ここでは、コンテンツは音声を含む動画であるものとする。サーバ１は、端末２から送信されたコンテンツを受信する（ステップＳ９１２）。そして、サーバ１は、コンテンツの認識処理を実行する（ステップＳ９１３）。例えば、動画に含まれる音声を文字情報に変換する。
【０１８６】
次いで、サーバ１は、地域情報ＤＢ１４１に登録されているコンテンツから、ステップＳ９１２で受信したコンテンツと類似のコンテンツを検索し（ステップＳ９１４）、類似のコンテンツがあるか否かを判定する（ステップＳ９１５）。例えば、サーバ１は、動画コンテンツを認識して得られた文字情報のベクトルデータと、地域情報ＤＢ１４１に蓄積されているコンテンツに係る同ベクトルデータとを比較することによって、コンテンツの類否を判断するとよい。また、学習済みモデル（ＡＩ）を用いて、コンテンツの類否を判断するように構成してもよい。なお、地域情報ＤＢ１４１に、コンテンツを登録する際、サーバ１は、当該コンテンツの音声に対する文字情報のベクトルデータを算出し、登録しておくとよい。
【０１８７】
類似のコンテンツがあると判定した場合（ステップＳ９１５：ＹＥＳ）、サーバ１は、模倣の疑いがある旨を管理者に通知し（ステップＳ９１６）、処理を終える。類似コンテンツがないと判定した場合（ステップＳ９１５：ＮＯ）、サーバ１は、コンテンツを地域情報ＤＢ１４１に登録し（ステップＳ９１７）、処理を終える。
【０１８８】
以上の構成によれば、サーバ１及び端末２は、ユーザによって投稿されたコンテンツの模倣の有無を判定することができ、模倣されたコンテンツが地域情報ＤＢ１４１に登録されることを防ぐことができる。
【０１８９】
今回開示された実施形態はすべての点で例示であって、制限的なものではないと考えられるべきである。本開示の範囲は、上記した意味ではなく、請求の範囲によって示され、請求の範囲と均等の意味及び範囲内でのすべての変更が含まれることが意図される。即ち、請求項に示した範囲で適宜変更した技術的手段を組み合わせて得られる実施形態も本開示の技術的範囲に含まれる。
【符号の説明】
【０１９０】
１  サーバ装置
１１  制御部
１２  記憶部
１３  通信部
１４  大容量記憶装置
１４４  スポット情報
２  端末装置
２１  制御部
２２  記憶部
２３  通信部
２４  表示部
２５  入力部
２６  音声出力部
２７  撮像部
２８  位置検出部
２０３  制御部
３０  地図部
３１  入力ボックス
３２  目的入力部
３２０  目的選択部
３３  項目選択部
３４  通知部
３５  ユーザ表示部
３６  詳細入力部
３７  決定ボタン
３８ａ  ルート表示線
３８ｂ  ルート表示線
３９ａ  タブ
３９ｂ  タブ
３９ｃ  タブ
３９ｄ  タブ
４０  ジャンル表示部
４１ａ〜４１ｋ  簡略表示部
４２  紹介画像部
４３  タイトル表示部
４４  所要時間表示部
４５  ユーザ表示部
４５ａ  ランク表示部
４６  評価表示部
４７ａ  詳細情報表示部
４７ｂ  タイプ選択部
４７ｃ  料金表示部
４８  確定ボタン
４９  変更アイコン
４１０  ランキング表示部
４１１  表示ボタン
４３０  タイトル表示部
４７０  名称表示部
４７１  タイトル表示部
４７２  料金表示部
５０  対象物
５１  枠状部
５２  機能アイコン部
５２ａ  地域情報選択アイコン
５２ｂ  説明表示アイコン
５２ｃ  音声案内アイコン
５２ｄ  料金アイコン
５３  矢印
５４  タイトル
５５  通知
５６  評価入力欄
５７  記入欄
５８  送信ボタン
６０  通知画面
７０  名前表示部
７１  メッセージボタン
７２  コメント欄
７３  内容入力欄
７４  決定ボタン
【図１】
2020175599.tif 000003
【図２】
2020175599.tif 000004
【図３】
2020175599.tif 000005
【図４】
2020175599.tif 000006
【図５】
2020175599.tif 000007
【図６】
2020175599.tif 000008
【図７】
2020175599.tif 000009
【図８】
2020175599.tif 000010
【図９】
2020175599.tif 000011
【図１０】
2020175599.tif 000012
【図１１】
2020175599.tif 000013
【図１２】
2020175599.tif 000014
【図１３】
2020175599.tif 000015
【図１４】
2020175599.tif 000016
【図１５】
2020175599.tif 000017
【図１６】
2020175599.tif 000018
【図１７】
2020175599.tif 000019
【図１８】
2020175599.tif 000020
【図１９】
2020175599.tif 000021
【図２０】
2020175599.tif 000022
【図２１】
2020175599.tif 000023
【図２２】
2020175599.tif 000024
【図２３】
2020175599.tif 000025
【図２４】
2020175599.tif 000026
【図２５】
2020175599.tif 000027
【図２６】
2020175599.tif 000028
【図２７】
2020175599.tif 000029
【図２８】
2020175599.tif 000030
【図２９】
2020175599.tif 000031
【図３０】
2020175599.tif 000032
【図３１】
2020175599.tif 000033
【図３２】
2020175599.tif 000034
【図３３】
2020175599.tif 000035
【図３４】
2020175599.tif 000036
【図３５】
2020175599.tif 000037
【図３６】
2020175599.tif 000038
【図３７】
2020175599.tif 000039
【図３８】
2020175599.tif 000040
【図３９】
2020175599.tif 000041
【図４０】
2020175599.tif 000042
【図４１】
2020175599.tif 000043
【図４２】
2020175599.tif 000044
【図４３】
2020175599.tif 000045
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
ユーザの端末装置から位置情報を取得し、
取得した位置情報に対応する情報であって、地域と関連する者である地域関連者により投稿された観光ガイド情報を含む地域情報と、観光の出発地点を示す基準地点とに基づいて、観光ガイド情報を含む観光ルートを作成し、
作成した、観光ガイド情報を含む観光ルートの情報を、前記端末装置へ出力し、
取得した位置情報に対応する地域情報を前記端末装置へ出力して表示する
処理をコンピュータに実行させるプログラム。
【請求項２】
訪問すべき地点又は訪問すべきでない地点に係る情報を含み、観光ルートを制約するための制約情報と、ユーザの位置及び時間を対応付けた情報を含むスケジュール情報と、観光の出発地点を示す基準地点と、観光時間と、前記地域情報とに基づいて観光ルートを作成する請求項１に記載のプログラム。
【請求項３】
前記観光ガイド情報は、人による観光ガイド又は動画再生による観光ガイドに係る情報を含む
請求項１又は請求項２に記載のプログラム。
【請求項４】
前記観光ガイド情報は、ガイド可能な観光スポット、ガイド時間帯、対応可能人数、対応言語、ガイドレベル、カジュアルかフォーマルかの種別を示す情報を含む
請求項１から請求項３のいずれか一つに記載のプログラム。
【請求項５】
観光ガイドの手配と、タクシーの手配、観光スポットのチケットの購入、又はレストランの予約とを含む、観光に必要な複数のサービスの一括手配の要求を受け付け、
観光ガイドの手配に係る処理と、タクシーの手配、チケットの購入又はレストランの予約に係る処理を実行する
請求項１から請求項４のいずれか一つに記載のプログラム。
【請求項６】
前記地域関連者は観光ガイドを含み、
前記地域情報は、前記観光ガイドの実施する案内の予約又は前記観光ガイドが関連するコンテンツを含み、
前記地域情報の選択を受け付ける
請求項１から請求項５のいずれか一つに記載のプログラム。
【請求項７】
前記コンテンツを選択可能に複数表示する第１画面を表示し、
該第１画面において、前記コンテンツの一つが選択された場合、前記コンテンツのガイドのタイプを選択可能に複数表示する第２画面を表示し、
該第２画面において、前記ガイドのタイプの選択を受け付ける
請求項６に記載のプログラム。
【請求項８】
前記コンテンツは動画であり、
該動画の再生時点が位置情報に基づいて決定される請求項６又は請求項７に記載のプログラム。
【請求項９】
前記コンテンツに基づく案内に関する料金の決済を受け付ける請求項６から請求項８のいずれか一つに記載のプログラム。
【請求項１０】
前記地域情報に基づく案内に関する料金を、ＡＲ（Augmented Reality）を利用して表示し、
前記料金の決済を受け付ける
請求項１から請求項９のいずれか一つに記載のプログラム。
【請求項１１】
ユーザのスケジュール情報と、基準地点と、前記地域情報とに基づいて観光ルートを作成する請求項１から請求項１０のいずれか一つに記載のプログラム。
【請求項１２】
訪問すべき地点又は訪問すべきでない地点に係る情報を含み、観光ルートを制約するための制約情報と、基準地点と、前記地域情報とに基づいて観光ルートを作成する請求項１から請求項１１のいずれか一つに記載のプログラム。
【請求項１３】
タクシーの相乗りを希望するユーザに係る情報と、基準地点と、前記地域情報とに基づいて観光ルートを作成する請求項１から請求項１２のいずれか一つに記載のプログラム。
【請求項１４】
観光ガイドに係る情報と、基準地点と、前記地域情報とに基づいて観光ルートを作成する請求項１から請求項１３のいずれか一つに記載のプログラム。
【請求項１５】
前記地域関連者又は前記地域情報と、前記地域関連者又は前記地域情報に対するユーザの評価とを関連付けて表示する請求項１から請求項１４のいずれか一つに記載のプログラム。
【請求項１６】
前記地域関連者又は前記地域情報に対するユーザからの評価の入力を受け付ける請求項１５に記載のプログラム。
【請求項１７】
前記地域情報の選択を受け付け、
該選択を受け付けた後、選択された前記地域関連者の前記地域情報の表示中に継続的にユーザに関する位置情報を取得し、
取得した位置情報に対応させて投稿された地域情報を更に表示する
請求項１から請求項１６のいずれか一つに記載のプログラム。
【請求項１８】
前記地域情報に基づく案内の対象物の説明を、ＡＲを利用して表示し、
前記対象物の説明のユーザによる変更を受け付ける
請求項１から請求項１７のいずれか一つに記載のプログラム。
【請求項１９】
位置情報の変更を受け付け、
該変更を受け付けた場合、変更後の位置情報に対応する地域関連者により投稿された地域情報を表示する請求項１から請求項１８のいずれか一つに記載のプログラム。
【請求項２０】
ユーザを、該ユーザの位置情報の履歴に対応する地域の地元メンバーとして登録し、
登録された地元メンバーと、付与されたレベルとを関連付けて表示する
請求項１から請求項１９のいずれか一つに記載のプログラム。
【請求項２１】
取得した位置情報に対応する地域におけるユーザを表示する請求項１から請求項２０のいずれか一つに記載のプログラム。
【請求項２２】
複数のユーザの地域情報に関する要求を受け付け、
前記複数のユーザの要求に対応する地域情報を表示する
請求項１から請求項２１のいずれか一つに記載のプログラム。
【請求項２３】
ユーザの端末装置から位置情報を取得し、
取得した位置情報に対応する情報であって、地域と関連する者である地域関連者により投稿された観光ガイド情報を含む地域情報と、観光の出発地点を示す基準地点とに基づいて、観光ガイド情報を含む観光ルートを作成し、
作成した、観光ガイド情報を含む観光ルートの情報を、前記端末装置へ出力し、
取得した位置情報に対応する地域の地域関連者により投稿された地域情報を前記端末装置に出力する
処理をコンピュータに実行させる情報処理方法。
【請求項２４】
ユーザの端末装置から位置情報を取得する取得部と、
取得した位置情報に対応する情報であって、地域と関連する者である地域関連者により投稿された観光ガイド情報を含む地域情報と、観光の出発地点を示す基準地点とに基づいて、観光ガイド情報を含む観光ルートを作成する作成部と、
前記作成部が作成した、観光ガイド情報を含む観光ルートの情報、及び前記取得部が取得した位置情報に対応する地域の地域関連者により投稿された地域情報を前記端末装置に出力する出力部と
を備えるサーバ装置。
【国際調査報告】
2020175599.tif 000046
2020175599.tif 000047
2020175599.tif 000048
2020175599.tif 000049
2020175599.tif 000050